(57)【要約】  本明細書では、長いパケットを通信するためのシステム、方法、およびデバイスについて説明する。一態様では、ワイヤレス通信のための装置は受信機とプロセッサとを含む。受信機は、ワイヤレスローカルエリアネットワークを介して、データシンボル間に配置された複数のトレーニングフィールドを備えるデータユニットをワイヤレス受信する。複数のトレーニングフィールドは、第１のトレーニングフィールドと後続の第２のトレーニングフィールドとを含む。第１のトレーニングフィールドは利得制御シーケンスを含み、第２のトレーニングフィールドはチャネル推定シーケンスを含む。プロセッサは、複数のトレーニングフィールドに基づいて少なくとも１つのデータシンボルを復号する。別の態様では、ワイヤレス通信のための装置はプロセッサと送信機とを含む。プロセッサは、データシンボル間に挿入された複数のトレーニングフィールドを備えるデータユニットを生成し、送信機は、ワイヤレスローカルエリアネットワークを介してデータユニットをワイヤレス送信する。
2015507880.tif 000002
【特許請求の範囲】
【請求項１】
ワイヤレスローカルエリアネットワークを介して、データシンボル間に配置された複数のトレーニングフィールドを備えるデータユニットをワイヤレス受信するように構成された受信機であって、前記複数のトレーニングフィールドが第１のトレーニングフィールドと後続の第２のトレーニングフィールドとを備え、前記第１のトレーニングフィールドが利得制御シーケンスを含み、前記第２のトレーニングフィールドがチャネル推定シーケンスを含む、受信機と、
前記複数のトレーニングフィールドに基づいて少なくとも１つのデータシンボルを復号するように構成されたプロセッサと
を備える、ワイヤレス通信のための装置。
【請求項２】
前記受信機が、１つの空間ストリームを介して前記データユニットを受信するように構成され、
前記第１のトレーニングフィールドが１つの直交周波数分割多重（ＯＦＤＭ）シンボルの持続時間を有し、前記第２のトレーニングフィールドが２つのＯＦＤＭシンボルの持続時間を有する、請求項１に記載の装置。
【請求項３】
前記第２のトレーニングフィールドが、ダブルガードインターバルと後続の第１のトレーニングシンボルおよび第２のトレーニングシンボルとを備える、請求項２に記載の装置。
【請求項４】
前記データユニットが物理レイヤプロトコルデータユニットを備え、
前記複数のトレーニングフィールドが、非ゼロの整数個のデータシンボルの後に前記データユニット中で周期的に繰り返され、
前記複数のトレーニングフィールドがワイヤレスチャネル上で受信され、前記プロセッサが、前記第２のトレーニングフィールドに基づいて前記ワイヤレスチャネルの品質を推定し、前記チャネルの前記推定された品質に基づいて前記少なくとも１つのデータシンボルを復号するようにさらに構成され、
前記ダブルガードインターバルが１６マイクロ秒の持続時間を有し、
前記受信機が、第１の利得を有する増幅器を備え、前記受信機が、前記第１の利得を調整するために前記第１のトレーニングフィールドを使用して自動利得制御を実行するようにさらに構成された、請求項３に記載の装置。
【請求項５】
前記第２のトレーニングフィールドが、第１のガードインターバルと、後続する第１のトレーニングシンボルと、後続する第２のガードインターバルと、後続する第２のトレーニングシンボルとを備える、請求項２に記載の装置。
【請求項６】
前記受信機が、１つの空間ストリームを介して前記データユニットを受信するように構成されており、
前記第１のトレーニングフィールドが１つの直交周波数分割多重（ＯＦＤＭ）シンボルの持続時間を有し、前記第２のトレーニングフィールドが１つのＯＦＤＭシンボルの持続時間を有するか、または
前記第１のトレーニングフィールドが２つのＯＦＤＭシンボルの持続時間を有し、前記第２のトレーニングフィールドが２つのＯＦＤＭシンボルの持続時間を有するか、のいずれかである、
請求項１に記載の装置。
【請求項７】
前記データシンボルの送信コーディングが、レートハーフコーディングを用いた２位相シフトキーイング（ＢＰＳＫ）変調よりも低いスペクトル効率を有し、
前記第１のトレーニングフィールドが２つの直交周波数分割多重（ＯＦＤＭ）シンボルの持続時間を有し、前記第２のトレーニングフィールドが４つのＯＦＤＭシンボルの持続時間を有する、請求項１に記載の装置。
【請求項８】
前記第２のトレーニングフィールドが、ダブルガードインターバルと、後続する第１のトレーニングシンボルおよび第２のトレーニングシンボルと、後続する第１のガードインターバルと、後続する第３のトレーニングシンボルと、後続する第２のガードインターバルと、後続する第４のトレーニングシンボルとを備える、請求項７に記載の装置。
【請求項９】
前記第２のトレーニングフィールドが、第１のガードインターバルと、後続する第１のトレーニングシンボルと、後続する第２のガードインターバルと、後続する第２のトレーニングシンボルと、後続する第３のガードインターバルと、後続する第３のトレーニングシンボルと、後続する第４のガードインターバルと、後続する第４のトレーニングシンボルとを備える、請求項７に記載の装置。
【請求項１０】
前記受信機が、第１の数の空間ストリームを介して前記データユニットを受信するように構成され、
前記複数のトレーニングフィールドが、前記第１のトレーニングフィールドと、後続する前記第１の数の第２のトレーニングフィールドとを備え、前記第１のトレーニングフィールドが１つの直交周波数分割多重（ＯＦＤＭ）シンボルの持続時間を有し、各第２のトレーニングフィールドが１つのＯＦＤＭシンボルの持続時間を有し、
各第２のトレーニングフィールドがガードインターバルと後続のトレーニングシンボルとを備える、請求項１に記載の装置。
【請求項１１】
データシンボル間に挿入された複数のトレーニングフィールドを備えるデータユニットを生成するように構成されたプロセッサであって、前記複数のトレーニングフィールドが第１のトレーニングフィールドと後続の第２のトレーニングフィールドとを備え、前記第１のトレーニングフィールドが利得制御シーケンスを含み、前記第２のトレーニングフィールドがチャネル推定シーケンスを含む、プロセッサと、
ワイヤレスローカルエリアネットワークを介して前記データユニットをワイヤレス送信するように構成された送信機と
を備える、ワイヤレス通信のための装置。
【請求項１２】
前記送信機が、１つの空間ストリームを介して前記データユニットを送信するように構成され、
前記第１のトレーニングフィールドが１つの直交周波数分割多重（ＯＦＤＭ）シンボルの持続時間を有し、前記第２のトレーニングフィールドが２つのＯＦＤＭシンボルの持続時間を有する、請求項１１に記載の装置。
【請求項１３】
前記第２のトレーニングフィールドが、ダブルガードインターバルと後続の第１のトレーニングシンボルおよび第２のトレーニングシンボルとを備える、請求項１２に記載の装置。
【請求項１４】
前記データユニットが物理レイヤプロトコルデータユニットを備え、
前記複数のトレーニングフィールドが、非ゼロの整数個のデータシンボルの後に前記データユニット中で周期的に繰り返され、
前記ダブルガードインターバルが１６マイクロ秒の持続時間を有する、請求項１３に記載の装置。
【請求項１５】
前記第２のトレーニングフィールドが、第１のガードインターバルと、後続する第１のトレーニングシンボルと、後続する第２のガードインターバルと、後続する第２のトレーニングシンボルとを備える、請求項１２に記載の装置。
【請求項１６】
前記送信機が、１つの空間ストリームを介して前記データユニットを送信するように構成されており、
前記第１のトレーニングフィールドが１つの直交周波数分割多重（ＯＦＤＭ）シンボルの持続時間を有し、前記第２のトレーニングフィールドが１つのＯＦＤＭシンボルの持続時間を有するか、または
前記第１のトレーニングフィールドが２つのＯＦＤＭシンボルの持続時間を有し、前記第２のトレーニングフィールドが２つのＯＦＤＭシンボルの持続時間を有するか、のいずれかである、
請求項１１に記載の装置。
【請求項１７】
前記データシンボルの送信コーディングが、レートハーフコーディングを用いた２位相シフトキーイング（ＢＰＳＫ）変調よりも低いスペクトル効率を有し、
前記第１のトレーニングフィールドが２つの直交周波数分割多重（ＯＦＤＭ）シンボルの持続時間を有し、前記第２のトレーニングフィールドが４つのＯＦＤＭシンボルの持続時間を有する、請求項１１に記載の装置。
【請求項１８】
前記第２のトレーニングフィールドが、ダブルガードインターバルと、後続する第１のトレーニングシンボルおよび第２のトレーニングシンボルと、後続する第１のガードインターバルと、後続する第３のトレーニングシンボルと、後続する第２のガードインターバルと、後続する第４のトレーニングシンボルとを備える、請求項１７に記載の装置。
【請求項１９】
前記第２のトレーニングフィールドが、第１のガードインターバルと、後続する第１のトレーニングシンボルと、後続する第２のガードインターバルと、後続する第２のトレーニングシンボルと、後続する第３のガードインターバルと、後続する第３のトレーニングシンボルと、後続する第４のガードインターバルと、後続する第４のトレーニングシンボルとを備える、請求項１７に記載の装置。
【請求項２０】
前記送信機が、第１の数の空間ストリームを介して前記データユニットを送信するように構成され、
前記複数のトレーニングフィールドが、前記第１のトレーニングフィールドと、後続する前記第１の数の第２のトレーニングフィールドとを備え、前記第１のトレーニングフィールドが１つの直交周波数分割多重（ＯＦＤＭ）シンボルの持続時間を有し、各第２のトレーニングフィールドが１つのＯＦＤＭシンボルの持続時間を有し、
各第２のトレーニングフィールドがガードインターバルと後続するトレーニングシンボルとを備える、請求項１１に記載の装置。
【請求項２１】
ワイヤレスローカルエリアネットワークを介して、データシンボル間に配置された複数のトレーニングフィールドを備えるデータユニットをワイヤレス受信することであって、前記複数のトレーニングフィールドが第１のトレーニングフィールドと後続の第２のトレーニングフィールドとを備え、前記第１のトレーニングフィールドが利得制御シーケンスを含み、前記第２のトレーニングフィールドがチャネル推定シーケンスを含む、ワイヤレス受信することと、
前記複数のトレーニングフィールドに基づいて少なくとも１つのデータシンボルを復号することと
を備える、ワイヤレス通信の方法。
【請求項２２】
１つの空間ストリームを介して前記データユニットを受信することをさらに備え、前記第１のトレーニングフィールドが１つの直交周波数分割多重（ＯＦＤＭ）シンボルの持続時間を有し、前記第２のトレーニングフィールドが２つのＯＦＤＭシンボルの持続時間を有する、請求項２１に記載の方法。
【請求項２３】
前記第２のトレーニングフィールドが、ダブルガードインターバルと後続する第１のトレーニングシンボルおよび第２のトレーニングシンボルとを備える、請求項２２に記載の方法。
【請求項２４】
ワイヤレスローカルエリアネットワークを介してワイヤレスチャネル上で前記データユニットをワイヤレス受信することと、
前記第２のトレーニングフィールドに基づいて前記ワイヤレスチャネルの品質を推定することと、
前記ワイヤレスチャネルの前記推定された品質に基づいて前記少なくとも１つのデータシンボルを復号することと、
受信機の増幅器の第１の利得を調整するために、前記第１のトレーニングフィールドを使用して自動利得制御を実行することと、
前記第１の利得が調整された後、前記受信機を使用して少なくとも１つのデータシンボルを受信することと
をさらに備え、
前記データユニットが物理レイヤプロトコルデータユニットを備え、前記複数のトレーニングフィールドが、非ゼロの整数個のデータシンボルの後に前記データユニット中で周期的に繰り返され、前記ダブルガードインターバルが１６マイクロ秒の持続時間を有する、請求項２３に記載の方法。
【請求項２５】
前記第２のトレーニングフィールドが、第１のガードインターバルと、後続する第１のトレーニングシンボルと、後続する第２のガードインターバルと、後続する第２のトレーニングシンボルとを備える、請求項２２に記載の方法。
【請求項２６】
１つの空間ストリームを介して前記データユニットを受信することをさらに備えており、
前記第１のトレーニングフィールドが１つの直交周波数分割多重（ＯＦＤＭ）シンボルの持続時間を有し、前記第２のトレーニングフィールドが１つのＯＦＤＭシンボルの持続時間を有するか、または
前記第１のトレーニングフィールドが２つのＯＦＤＭシンボルの持続時間を有し、前記第２のトレーニングフィールドが２つのＯＦＤＭシンボルの持続時間を有するか、のいずれかである、
請求項２１に記載の方法。
【請求項２７】
前記データシンボルの送信コーディングが、レートハーフコーディングを用いた２位相シフトキーイング（ＢＰＳＫ）変調よりも低いスペクトル効率を有し、
前記第１のトレーニングフィールドが２つの直交周波数分割多重（ＯＦＤＭ）シンボルの持続時間を有し、前記第２のトレーニングフィールドが４つのＯＦＤＭシンボルの持続時間を有する、請求項２１に記載の方法。
【請求項２８】
前記第２のトレーニングフィールドが、ダブルガードインターバルと、後続する第１のトレーニングシンボルおよび第２のトレーニングシンボルと、後続する第１のガードインターバルと、後続する第３のトレーニングシンボルと、後続する第２のガードインターバルと、後続する第４のトレーニングシンボルとを備える、請求項２７に記載の方法。
【請求項２９】
前記第２のトレーニングフィールドが、第１のガードインターバルと、後続する第１のトレーニングシンボルと、後続する第２のガードインターバルと、後続する第２のトレーニングシンボルと、後続する第３のガードインターバルと、後続する第３のトレーニングシンボルと、後続する第４のガードインターバルと、後続する第４のトレーニングシンボルとを備える、請求項２７に記載の方法。
【請求項３０】
第１の数の空間ストリームを介して前記データユニットを受信することをさらに備え、
前記複数のトレーニングフィールドが、前記第１のトレーニングフィールドと、後続する前記第１の数の第２のトレーニングフィールドとを備え、前記第１のトレーニングフィールドが１つの直交周波数分割多重（ＯＦＤＭ）シンボルの持続時間を有し、各第２のトレーニングフィールドが１つのＯＦＤＭシンボルの持続時間を有し、
各第２のトレーニングフィールドがガードインターバルと後続のトレーニングシンボルとを備える、請求項２１に記載の方法。
【請求項３１】
データシンボル間に挿入された複数のトレーニングフィールドを備えるデータユニットを生成することであって、前記複数のトレーニングフィールドが第１のトレーニングフィールドと後続の第２のトレーニングフィールドとを備え、前記第１のトレーニングフィールドが利得制御シーケンスを含み、前記第２のトレーニングフィールドがチャネル推定シーケンスを含む、生成することと、
ワイヤレスローカルエリアネットワークを介して前記データユニットをワイヤレス送信することと
を備える、ワイヤレス通信の方法。
【請求項３２】
１つの空間ストリームを介して前記データユニットを送信することをさらに備え、前記第１のトレーニングフィールドが１つの直交周波数分割多重（ＯＦＤＭ）シンボルの持続時間を有し、前記第２のトレーニングフィールドが２つのＯＦＤＭシンボルの持続時間を有する、請求項３１に記載の方法。
【請求項３３】
前記第２のトレーニングフィールドが、ダブルガードインターバルと後続の第１のトレーニングシンボルおよび第２のトレーニングシンボルとを備える、請求項３２に記載の方法。
【請求項３４】
前記データユニットが物理レイヤプロトコルデータユニットを備え、
前記複数のトレーニングフィールドが、非ゼロの整数個のデータシンボルの後に前記データユニット中で周期的に繰り返され、
前記ダブルガードインターバルが１６マイクロ秒の持続時間を有する、請求項３３に記載の方法。
【請求項３５】
前記第２のトレーニングフィールドが、第１のガードインターバルと、後続する第１のトレーニングシンボルと、後続する第２のガードインターバルと、後続する第２のトレーニングシンボルとを備える、請求項３２に記載の方法。
【請求項３６】
１つの空間ストリームを介して前記データユニットを送信することをさらに備えており、
前記第１のトレーニングフィールドが１つの直交周波数分割多重（ＯＦＤＭ）シンボルの持続時間を有し、前記第２のトレーニングフィールドが１つのＯＦＤＭシンボルの持続時間を有するか、または
前記第１のトレーニングフィールドが２つのＯＦＤＭシンボルの持続時間を有し、前記第２のトレーニングフィールドが２つのＯＦＤＭシンボルの持続時間を有するか、のいずれかである、
請求項３１に記載の方法。
【請求項３７】
前記データシンボルの送信コーディングが、レートハーフコーディングを用いた２位相シフトキーイング（ＢＰＳＫ）変調よりも低いスペクトル効率を有し、
前記第１のトレーニングフィールドが２つの直交周波数分割多重（ＯＦＤＭ）シンボルの持続時間を有し、前記第２のトレーニングフィールドが４つの直交周波数分割多重（ＯＦＤＭ）シンボルの持続時間を有する、請求項３１に記載の方法。
【請求項３８】
前記第２のトレーニングフィールドが、ダブルガードインターバルと、後続する第１のトレーニングシンボルおよび第２のトレーニングシンボルと、後続する第１のガードインターバルと、後続する第３のトレーニングシンボルと、後続する第２のガードインターバルと、後続する第４のトレーニングシンボルとを備える、請求項３７に記載の方法。
【請求項３９】
前記第２のトレーニングフィールドが、第１のガードインターバルと、後続する第１のトレーニングシンボルと、後続する第２のガードインターバルと、後続する第２のトレーニングシンボルと、後続する第３のガードインターバルと、後続する第３のトレーニングシンボルと、後続する第４のガードインターバルと、後続する第４のトレーニングシンボルとを備える、請求項３７に記載の方法。
【請求項４０】
第１の数の空間ストリームを介して前記データユニットを送信することをさらに備え、
前記複数のトレーニングフィールドが、前記第１のトレーニングフィールドと、後続する前記第１の数の第２のトレーニングフィールドとを備え、前記第１のトレーニングフィールドが１つのシンボルの持続時間を有し、各第２のトレーニングフィールドが１つのシンボルの持続時間を有し、
各第２のトレーニングフィールドがガードインターバルと後続のトレーニングシンボルとを備える、請求項３１に記載の方法。
【請求項４１】
ワイヤレスローカルエリアネットワークを介して、データシンボル間に配置された複数のトレーニングフィールドを備えるデータユニットをワイヤレス受信するための手段であって、前記複数のトレーニングフィールドが第１のトレーニングフィールドと後続の第２のトレーニングフィールドとを備え、前記第１のトレーニングフィールドが利得制御シーケンスを含み、前記第２のトレーニングフィールドがチャネル推定シーケンスを含む、ワイヤレス受信するための手段と、
前記複数のトレーニングフィールドに基づいて少なくとも１つのデータシンボルを復号するための手段と
を備える、ワイヤレス通信のための装置。
【請求項４２】
データシンボル間に挿入された複数のトレーニングフィールドを備えるデータユニットを生成するための手段であって、前記複数のトレーニングフィールドが第１のトレーニングフィールドと後続の第２のトレーニングフィールドとを備え、前記第１のトレーニングフィールドが利得制御シーケンスを含み、前記第２のトレーニングフィールドがチャネル推定シーケンスを含む、生成するための手段と、
ワイヤレスローカルエリアネットワークを介して前記データユニットをワイヤレス送信するための手段と
を備える、ワイヤレス通信のための装置。
【請求項４３】
実行されたときに、
ワイヤレスローカルエリアネットワークを介して、データシンボル間に配置された複数のトレーニングフィールドを備えるデータユニットをワイヤレス受信することであって、前記複数のトレーニングフィールドが第１のトレーニングフィールドと後続の第２のトレーニングフィールドとを備え、前記第１のトレーニングフィールドが利得制御シーケンスを含み、前記第２のトレーニングフィールドがチャネル推定シーケンスを含む、ワイヤレス受信することと、
前記複数のトレーニングフィールドに基づいて少なくとも１つのデータシンボルを復号することと
を装置に行わせる命令を備える非一時的コンピュータ可読媒体。
【請求項４４】
実行されたときに、
データシンボル間に挿入された複数のトレーニングフィールドを備えるデータユニットを生成することであって、前記複数のトレーニングフィールドが第１のトレーニングフィールドと後続の第２のトレーニングフィールドとを備え、前記第１のトレーニングフィールドが利得制御シーケンスを含み、前記第２のトレーニングフィールドがチャネル推定シーケンスを含む、生成することと、
ワイヤレスローカルエリアネットワークを介して前記データユニットをワイヤレス送信することと
を装置に行わせる命令を備える非一時的コンピュータ可読媒体。
【発明の詳細な説明】
【技術分野】
【０００１】
関連出願の相互参照
本出願は、その開示の全体が参照により本明細書に組み込まれる、２０１２年１月６日に出願された「SYSTEMS AND METHODS FOR WIRELESS COMMUNICATION OF LONG DATA UNITS」と題する米国仮特許出願第６１／５８３，８７９号に対する、米国特許法第１１９条（ｅ）項に基づく利益を主張する。本出願は、さらに、その開示の全体が参照により本明細書に組み込まれる、２０１２年１月６日に出願された「SYSTEMS AND METHODS FOR WIRELESS COMMUNICATION OF LONG DATA UNITS」と題する米国仮特許出願第６１／５８４，１７０号に対する、米国特許法第１１９条（ｅ）項に基づく利益を主張する。
【０００２】
本出願は、一般にワイヤレス通信に関し、より詳細には、長いデータユニットを通信するためのシステム、方法、およびデバイスに関する。本明細書のいくつかの態様は、データシンボル間に配置されたマルチプルなトレーニングフィールドを含むデータユニットに関する。
【背景技術】
【０００３】
多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定される。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００４】
ワイヤレスネットワークは、しばしば、ネットワーク要素がモバイルであり、したがって動的接続性の必要を有するときに、またはネットワークアーキテクチャが固定ではなくアドホックなトポロジーで形成される場合に好適である。ワイヤレスネットワークは、無線、マイクロ波、赤外線、光などの周波数帯域の電磁波を使用して、非誘導伝搬モードで無形物理媒体を用いる。ワイヤレスネットワークは、固定ワイヤードネットワークと比較して、ユーザモビリティと迅速なフィールド展開とを有利な形で可能にする。
【０００５】
ワイヤレスネットワーク中のデバイスは、互いの間で情報を送信／受信し得る。その情報は、いくつかの態様ではデータユニットと呼ばれることがある、パケットを含み得る。パケットは、ネットワークを通じてパケットをルーティングする際、パケット中のデータを識別する際、パケットを処理する際などに使用されるオーバーヘッド情報（たとえば、ヘッダ情報、パケットプロパティなど）、ならびに、パケットのペイロード中で搬送される、ユーザデータ、マルチメディアコンテンツなどのデータを含み得る。
【発明の概要】
【０００６】
本発明のシステム、方法、およびデバイスはそれぞれいくつかの態様を有し、それらのうちの単一の態様が単独でその望ましい属性を担うわけではない。以下で、特許請求の範囲によって表される本発明の範囲を限定することなしに、いくつかの特徴について簡単に説明する。この説明を考察すれば、特に「詳細な説明」と題するセクションを読めば、本発明の特徴が、パケットが受信されたチャネルの変化する状態を考慮するための、パケットの改善された復号を含む利点をどのように提供するかが理解されよう。
【０００７】
本開示の一態様は、受信機とプロセッサとを含むワイヤレス通信のための装置を提供する。受信機は、ワイヤレスローカルエリアネットワークを介して、データシンボル間に配置された複数のトレーニングフィールドを備えるデータユニットをワイヤレス受信するように構成される。複数のトレーニングフィールドは、第１のトレーニングフィールドと後続の第２のトレーニングフィールドとを含む。第１のトレーニングフィールドは利得制御シーケンスを含み、第２のトレーニングフィールドはチャネル推定シーケンスを含む。プロセッサは、複数のトレーニングフィールドに基づいて少なくとも１つのデータシンボルを復号するように構成される。
【０００８】
本開示の別の態様は、プロセッサと送信機とを含むワイヤレス通信のための装置を提供する。プロセッサは、データシンボル間に挿入された複数のトレーニングフィールドを備えるデータユニットを生成するように構成される。複数のトレーニングフィールドは、第１のトレーニングフィールドと後続の第２のトレーニングフィールドとを含む。第１のトレーニングフィールドは利得制御シーケンスを含み、第２のトレーニングフィールドはチャネル推定シーケンスを含む。送信機は、ワイヤレスローカルエリアネットワークを介してデータユニットをワイヤレス送信するように構成される。
【０００９】
本開示の別の態様は、ワイヤレスローカルエリアネットワークを介して、データシンボル間に配置された複数のトレーニングフィールドを備えるデータユニットをワイヤレス受信することであって、複数のトレーニングフィールドが第１のトレーニングフィールドと後続の第２のトレーニングフィールドとを備え、第１のトレーニングフィールドが利得制御シーケンスを含み、第２のトレーニングフィールドがチャネル推定シーケンスを含む、ワイヤレス受信することと、複数のトレーニングフィールドに基づいて少なくとも１つのデータシンボルを復号することとを備える、ワイヤレス通信の方法を提供する。
【００１０】
本開示の別の態様は、データシンボル間に挿入された複数のトレーニングフィールドを備えるデータユニットを生成することであって、複数のトレーニングフィールドが第１のトレーニングフィールドと後続の第２のトレーニングフィールドとを備え、第１のトレーニングフィールドが利得制御シーケンスを含み、第２のトレーニングフィールドがチャネル推定シーケンスを含む、生成することと、ワイヤレスローカルエリアネットワークを介してデータユニットをワイヤレス送信することとを備える、ワイヤレス通信の方法を提供する。
【００１１】
本開示の別の態様は、ワイヤレスローカルエリアネットワークを介して、データシンボル間に配置された複数のトレーニングフィールドを備えるデータユニットをワイヤレス受信するための手段であって、複数のトレーニングフィールドが第１のトレーニングフィールドと後続の第２のトレーニングフィールドとを備え、第１のトレーニングフィールドが利得制御シーケンスを含み、第２のトレーニングフィールドがチャネル推定シーケンスを含む、ワイヤレス受信するための手段と、複数のトレーニングフィールドに基づいて少なくとも１つのデータシンボルを復号するための手段とを備える、ワイヤレス通信のための装置を提供する。
【００１２】
本開示の別の態様は、データシンボル間に挿入された複数のトレーニングフィールドを備えるデータユニットを生成するための手段であって、複数のトレーニングフィールドが第１のトレーニングフィールドと後続の第２のトレーニングフィールドとを備え、第１のトレーニングフィールドが利得制御シーケンスを含み、第２のトレーニングフィールドがチャネル推定シーケンスを含む、生成するための手段と、ワイヤレスローカルエリアネットワークを介してデータユニットをワイヤレス送信するための手段とを備える、ワイヤレス通信のための装置を提供する。
【００１３】
本開示の別の態様は、実行されたときに、ワイヤレスローカルエリアネットワークを介して、データシンボル間に配置された複数のトレーニングフィールドを備えるデータユニットをワイヤレス受信することであって、複数のトレーニングフィールドが第１のトレーニングフィールドと後続の第２のトレーニングフィールドとを備え、第１のトレーニングフィールドが利得制御シーケンスを含み、第２のトレーニングフィールドがチャネル推定シーケンスを含む、ワイヤレス受信することと、複数のトレーニングフィールドに基づいて少なくとも１つのデータシンボルを復号することとを装置に行わせる命令を備える非一時的コンピュータ可読媒体を提供する。
【００１４】
本開示の別の態様は、実行されたときに、データシンボル間に挿入された複数のトレーニングフィールドを備えるデータユニットを生成することであって、複数のトレーニングフィールドが第１のトレーニングフィールドと後続の第２のトレーニングフィールドとを備え、第１のトレーニングフィールドが利得制御シーケンスを含み、第２のトレーニングフィールドがチャネル推定シーケンスを含む、生成することと、ワイヤレスローカルエリアネットワークを介してデータユニットをワイヤレス送信することとを装置に行わせる命令を備える非一時的コンピュータ可読媒体を提供する。
【図面の簡単な説明】
【００１５】
【図１】本開示の態様が採用され得るワイヤレス通信システムの一例を示す図。
【図２】図１のワイヤレス通信システム内で採用され得るワイヤレスデバイスにおいて用いられ得る様々な構成要素を示す図。
【図３】ワイヤレス通信を送信するために図２のワイヤレスデバイスにおいて用いられ得る様々な構成要素を示す図。
【図４】ワイヤレス通信を受信するために図２のワイヤレスデバイスにおいて用いられ得る様々な構成要素を示す図。
【図５】ワイヤレス通信を送信するために図２のワイヤレスデバイスなどのワイヤレスデバイスにおいて実装され得る例示的なＭＩＭＯシステムの機能ブロック図。
【図６】ワイヤレス通信を受信するために図２のワイヤレスデバイスなどのワイヤレスデバイスにおいて実装され得る例示的なＭＩＭＯシステムの機能ブロック図。
【図７】物理レイヤパケットのプリアンブルとペイロードとの例示的な構造を示すブロック図。
【図８Ａ】実質的に１ＭＨｚの帯域幅を通じた送信のための物理レイヤパケットのプリアンブルとペイロードとの例示的な構造を示すブロック図。
【図８Ｂ】シングルユーザモードによる、実質的に２ＭＨｚの帯域幅を通じた送信のための物理レイヤパケットのプリアンブルとペイロードとの例示的な構造を示すブロック図。
【図８Ｃ】マルチユーザモードによる、実質的に２ＭＨｚの帯域幅を通じた送信のための物理レイヤパケットのプリアンブルとペイロードとの例示的な構造を示すブロック図。
【図９】物理レイヤデータユニットの一例を示す図。
【図１０】物理レイヤデータユニットの一例を示す図。
【図１１】物理レイヤデータユニットの一例を示す図。
【図１２】物理レイヤデータユニットの一例を示す図。
【図１３】物理レイヤデータユニットの一例を示す図。
【図１４】物理レイヤデータユニットの一例を示す図。
【図１５】物理レイヤデータユニットの例示的な一部分を示す図。
【図１６】物理レイヤデータユニットの例示的な一部分を示す図。
【図１７】例示的なロングトレーニングフィールド（ＬＴＦ：long training field）を示す図。
【図１８】例示的なＬＴＦを示す図。
【図１９】例示的なＬＴＦを示す図。
【図２０】例示的なＬＴＦを示す図。
【図２１】物理レイヤデータユニットの例示的な一部分を示す図。
【図２２】例示的なＬＴＦを示す図。
【図２３】データユニットを生成し、送信するための方法を示す図。
【図２４】データユニットを受信し、処理するための方法を示す図。
【図２５】図１のワイヤレス通信システム内で採用され得る例示的なデバイスの機能ブロック図。
【図２６】図１のワイヤレス通信システム内で採用され得る例示的なデバイスの機能ブロック図。
【詳細な説明】
【００１６】
添付の図面を参照しながら新規のシステム、装置、および方法の様々な態様について以下でより十分に説明する。ただし、本開示の教示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるように与えるものである。本明細書の教示に基づいて、本開示の範囲は、本発明の他の態様とは無関係に実装されるにせよ、本発明の他の態様と組み合わされるにせよ、本明細書で開示する新規のシステム、装置、および方法のいかなる態様をもカバーするものであることを、当業者なら諒解されたい。たとえば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法をカバーするものとする。本明細書で開示する任意の態様が請求項の１つまたは複数の要素によって実施され得ることを理解されたい。
【００１７】
本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのいくつかを例として、図および好適な態様についての以下の説明において示す。詳細な説明および図面は、本開示を限定するものではなく説明するものにすぎず、本開示の範囲は添付の特許請求の範囲およびそれの均等物によって定義される。
【００１８】
ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近隣のデバイスを互いに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーなど、任意の通信規格に適用され得る。たとえば、本明細書で説明する様々な態様は、サブ１ＧＨｚ帯域を使用する、ＩＥＥＥ８０２．１１ａｈプロトコルの一部として使用され得る。
【００１９】
いくつかの態様では、サブギガヘルツ帯域中のワイヤレス信号は、直交周波数分割多重（ＯＦＤＭ）通信、直接シーケンススペクトラム拡散（ＤＳＳＳ：direct-sequence spread spectrum）通信、ＯＦＤＭ通信とＤＳＳＳ通信の組合せ、または他の方式を使用して、８０２．１１ａｈプロトコルに従って送信され得る。８０２．１１ａｈプロトコルの実装形態は、センサー、メータリング、およびスマートグリッドネットワークのために使用され得る。有利なことに、８０２．１１ａｈプロトコルを実装するいくつかのデバイスの態様は、他のワイヤレスプロトコルを実装するデバイスよりも少ない電力を消費し得、および／または比較的長い距離、たとえば約１キロメートル以上にわたって、ワイヤレス信号を送信するために使用され得る。
【００２０】
本明細書で説明するデバイスのうちのいくつかは、さらに、多入力多出力（ＭＩＭＯ）技術を実装し、８０２．１１ａｈ規格の一部として実装され得る。ＭＩＭＯシステムは、データ送信のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルまたはストリームとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が用いられた場合、ＭＩＭＯシステムは改善された性能（たとえば、より高いスループットおよび／またはより大きい信頼性）を与えることができる。
【００２１】
いくつかの実装形態では、ＷＬＡＮは、ワイヤレスネットワークにアクセスする構成要素である様々なデバイスを含む。たとえば、２つのタイプのデバイスであるアクセスポイント（「ＡＰ」）およびクライアント（局、または「ＳＴＡ」とも呼ばれる）があり得る。一般に、ＡＰはＷＬＡＮのためのハブまたは基地局として機能し、ＳＴＡはＷＬＡＮのユーザとして機能する。たとえば、ＳＴＡはラップトップコンピュータ、携帯情報端末（ＰＤＡ）、モバイル電話などであり得る。一例では、ＳＴＡは、インターネットまたは他のワイドエリアネットワークへの一般的接続性を得るためにＷｉＦｉ（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００２２】
また、アクセスポイント（「ＡＰ」）は、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００２３】
また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００２４】
上記で説明したように、本明細書で説明するデバイスのうちのいくつかは、たとえば、８０２．１１ａｈ規格を実装し得る。そのようなデバイスは、ＳＴＡとして使用されるにせよ、ＡＰとして使用されるにせよ、他のデバイスとして使用されるにせよ、スマートメータリングのためにまたはスマートグリッドネットワークにおいて使用され得る。そのようなデバイスは、センサー適用例を与えるか、またはホームオートメーションにおいて使用され得る。それらのデバイスは、代わりにまたはさらに、ヘルスケアの状況において、たとえばパーソナルヘルスケアのために使用され得る。それらのデバイスはまた、（たとえばホットスポットとともに使用する）拡張された範囲のインターネット接続性を可能にするために、またはマシンツーマシン通信を実装するために、監視のために使用され得る。
【００２５】
図１に、本開示の態様が採用され得るワイヤレス通信システム１００の一例を示す。ワイヤレス通信システム１００は、ワイヤレス規格、たとえば８０２．１１ａｈ規格に従って動作し得る。ワイヤレス通信システム１００は、ＳＴＡ１０６ａ、１０６ｂ、１０６ｃ、１０６ｄ（総称してＳＴＡ１０６）と通信する、ＡＰ１０４を含み得る。
【００２６】
様々なプロセスおよび方法が、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信および受信され得る。この場合、ワイヤレス通信システム１００はＯＦＤＭ／ＯＦＤＭＡシステムと呼ばれる。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれる。
【００２７】
ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２８】
ＡＰ１０４は、基地局として働き、基本サービスエリア（ＢＳＡ：basic service area）１０２においてワイヤレス通信カバレージを与え得る。ＡＰ１０４は、ＡＰ１０４に関連付けられ、ＡＰ１０４を通信のために使用する、ＳＴＡ１０６とともに、基本サービスセット（ＢＳＳ：basic service set）と呼ばれることがある。ワイヤレス通信システム１００は、中央のＡＰ１０４を有しないことがあり、むしろＳＴＡ１０６間のピアツーピアネットワークとして機能し得ることに留意されたい。したがって、本明細書で説明するＡＰ１０４の機能は、ＳＴＡ１０６のうちの１つまたは複数によって代替的に実行され得る。
【００２９】
図２に、ワイヤレス通信システム１００内で採用され得るワイヤレスデバイス２０２において用いられ得る様々な構成要素を示す。ワイヤレスデバイス２０２は、本明細書で説明する様々な方法を実装するように構成され得るデバイスの一例である。たとえば、ワイヤレスデバイス２０２は、図１のＡＰ１０４、またはＳＴＡ１０６のうちの１つを備え得る。
【００３０】
ワイヤレスデバイス２０２は、ワイヤレスデバイス２０２の動作を制御するプロセッサ２０４を含み得る。プロセッサ２０４は中央処理ユニット（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に与える。メモリ２０６の一部分は不揮発性ランダムアクセスメモリ（ＮＶＲＡＭ）をも含み得る。プロセッサ２０４は、一般に、メモリ２０６内に記憶されたプログラム命令に基づいて論理演算と算術演算とを実行する。メモリ２０６中の命令は、本明細書で説明する方法を実装するように実行可能であり得る。
【００３１】
プロセッサ２０４は、１つまたは複数のプロセッサとともに実装された処理システムを備え得るか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、ディスクリートハードウェア構成要素、専用ハードウェア有限ステートマシン、あるいは情報の計算または他の操作を実行することができる任意の他の好適なエンティティの任意の組合せを用いて実装され得る。
【００３２】
処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたときに、本明細書で説明する様々な機能を処理システムに実行させる。
【００３３】
ワイヤレスデバイス２０２はまた、ワイヤレスデバイス２０２と遠隔ロケーションとの間のデータの送信および受信を可能にするために送信機２１０と受信機２１２とを含み得るハウジング２０８を含み得る。送信機２１０と受信機２１２とは組み合わされてトランシーバ２１４になり得る。アンテナ２１６は、ハウジング２０８に取り付けられ、トランシーバ２１４に電気的に結合され得る。ワイヤレスデバイス２０２は、複数の送信機、複数の受信機、複数のトランシーバ、および／または複数のアンテナをも含み得る（図示せず）。
【００３４】
ワイヤレスデバイス２０２はまた、トランシーバ２１４によって受信された信号のレベルを検出し、定量化するために使用され得る信号検出器２１８を含み得る。信号検出器２１８は、総エネルギー、シンボルごとのサブキャリア当たりのエネルギー、電力スペクトル密度および他の信号などの信号を検出し得る。ワイヤレスデバイス２０２はまた、信号を処理する際に使用するためのデジタル信号プロセッサ（ＤＳＰ）２２０を含み得る。ＤＳＰ２２０は、送信のためのデータユニットを生成するように構成され得る。いくつかの態様では、データユニットは物理レイヤデータユニット（ＰＰＤＵ：physical layer data unit）を備え得る。いくつかの態様では、ＰＰＤＵはパケットと呼ばれる。
【００３５】
ワイヤレスデバイス２０２は、いくつかの態様では、ユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を運び、および／またはユーザからの入力を受信する、任意の要素または構成要素を含み得る。
【００３６】
ワイヤレスデバイス２０２の様々な構成要素はバスシステム２２６によって互いに結合され得る。バスシステム２２６は、たとえば、データバスを含み得、ならびに、データバスに加えて、電力バス、制御信号バス、およびステータス信号バスを含み得る。ワイヤレスデバイス２０２の構成要素は、何らかの他の機構を使用して、互いに結合されるか、あるいは互いに入力を受け付けるかまたは与え得ることを当業者は諒解されよう。
【００３７】
いくつかの別個の構成要素が図２に示されているが、それらの構成要素のうちの１つまたは複数は、組み合わされるかまたは通常実装され得る。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示す構成要素の各々は、複数の別個の要素を使用して実装され得る。さらに、プロセッサ２０４は、説明する構成要素、モジュール、回路などのいずれかを実装するために使用され得、または各々が複数の別個の要素を使用して実装され得る。
【００３８】
上記で説明したように、ワイヤレスデバイス２０２は、ＡＰ１０４またはＳＴＡ１０６を備え得、通信を送信および／または受信するために使用され得る。図３に、ワイヤレス通信を送信するためにワイヤレスデバイス２０２において用いられ得る様々な構成要素を示す。図３に示す構成要素は、たとえば、ＯＦＤＭ通信を送信するために使用され得る。いくつかの態様では、図３に示す構成要素は、以下でさらに詳細に説明するように、時間的に長いデータユニット、および／または複数のデータシンボル間に配置された１つまたは複数のトレーニングフィールドを含むデータユニットを送信するために使用される。
【００３９】
図３のワイヤレスデバイス２０２ａは、送信のためにビットを変調するように構成された変調器３０２を備え得る。たとえば、変調器３０２は、たとえばコンスタレーションに従ってビットを複数のシンボルにマッピングすることによって、プロセッサ２０４（図２）またはユーザインターフェース２２２（図２）から受信されたビットから複数のシンボルを決定し得る。それらのビットは、ユーザデータまたは制御情報に対応し得る。いくつかの態様では、それらのビットはコードワードにおいて受信される。一態様では、変調器３０２は、ＱＡＭ（直交振幅変調：quadrature amplitude modulation）変調器、たとえば１６ＱＡＭ変調器または６４ＱＡＭ変調器を備える。他の態様では、変調器３０２は、２位相シフトキーイング（ＢＰＳＫ：binary phase-shift keying）変調器または４位相シフトキーイング（ＱＰＳＫ：quadrature phase-shift keying）変調器を備える。
【００４０】
ワイヤレスデバイス２０２ａは、変調器３０２からのシンボルまたは他の何らかの変調されたビットを時間領域に変換するように構成された変換モジュール３０４をさらに備え得る。図３では、変換モジュール３０４は、逆高速フーリエ変換（ＩＦＦＴ）モジュールによって実装されるものとして示されている。いくつかの実装形態では、異なるサイズのデータのユニットを変換する複数の変換モジュール（図示せず）があり得る。いくつかの実装形態では、変換モジュール３０４は、それ自体が、異なるサイズのデータのユニットを変換するように構成され得る。たとえば、変換モジュール３０４は、複数のモードで構成され得、各モードでシンボルを変換するために異なる数の点を使用し得る。たとえば、ＩＦＦＴは、３２個のトーン（すなわち、サブキャリア）上で送信されているシンボルを時間領域に変換するために３２点が使用されるモードと、６４個のトーン上で送信されているシンボルを時間領域に変換するために６４点が使用されるモードとを有し得る。変換モジュール３０４によって使用される点の数は、変換モジュール３０４のサイズと呼ばれることがある。
【００４１】
図３では、変調器３０２と変換モジュール３０４は、ＤＳＰ３２０中で実装されるものとして示されている。しかしながら、いくつかの態様では、変調器３０２と変換モジュール３０４の一方または両方が、プロセッサ２０４中でまたはワイヤレスデバイス２０２の別の要素（たとえば、図２に関する上記の説明を参照）中で実装される。
【００４２】
上記で説明したように、ＤＳＰ３２０は、送信のためのデータユニットを生成するように構成され得る。いくつかの態様では、変調器３０２および変換モジュール３０４は、制御情報を含む複数のフィールドと複数のデータシンボルとを備えるデータユニットを生成するように構成され得る。制御情報を含むフィールドは、たとえば、１つまたは複数のトレーニングフィールドと、１つまたは複数の信号（ＳＩＧ）フィールドとを備え得る。トレーニングフィールドの各々は、ビットまたはシンボルの既知のシーケンスを含み得る。ＳＩＧフィールドの各々は、データユニットに関する情報、たとえばデータユニットの長さまたはデータレートの記述を含み得る。
【００４３】
いくつかの態様では、ＤＳＰ３２０は、１つまたは複数のトレーニングフィールドを複数のデータシンボル間に挿入するように構成される。ＤＳＰ３２０は、プロセッサ２０４（図２）から受信された、および／またはメモリ２０６（図２）に記憶されたもしくはＤＳＰ３２０の一部分に記憶された、情報に基づいて、データユニット中の１つまたは複数のトレーニングフィールドの位置またはロケーションを決定し得る。トレーニングフィールドをデータユニット中に挿入することについては、さらに詳細に説明する。
【００４４】
図３の説明に戻ると、ワイヤレスデバイス２０２ａは、変換モジュールの出力をアナログ信号に変換するように構成されたデジタルアナログ変換器３０６をさらに備え得る。たとえば、変換モジュール３０６の時間領域出力は、デジタルアナログ変換器３０６によってベースバンドＯＦＤＭ信号に変換され得る。デジタルアナログ変換器３０６は、プロセッサ２０４中でまたは図２のワイヤレスデバイス２０２の別の要素中で実装され得る。いくつかの態様では、デジタルアナログ変換器３０６は、トランシーバ２１４（図２）中でまたはデータ送信プロセッサ中で実装される。
【００４５】
アナログ信号は送信機３１０によってワイヤレス送信され得る。アナログ信号は、送信機３１０によって送信される前に、たとえば、フィルタ処理されることによって、あるいは中間またはキャリア周波数にアップコンバートされることによって、さらに処理され得る。図３に示す態様では、送信機３１０は送信増幅器３０８を含む。送信される前に、アナログ信号は送信増幅器３０８によって増幅され得る。いくつかの態様では、増幅器３０８は低雑音増幅器（ＬＮＡ）を備える。
【００４６】
送信機３１０は、アナログ信号に基づいてワイヤレス信号中で１つまたは複数のパケットまたはデータユニットを送信するように構成される。それらのデータユニットは、プロセッサ２０４（図２）および／またはＤＳＰ３２０を使用して、たとえば上記で説明したように変調器３０２および変換モジュール３０４を使用して、生成され得る。上記で説明したように生成され送信され得るデータユニットについては、以下でさらに詳細に説明する。
【００４７】
いくつかの態様では、送信機３１０は、約２．５ＭＨｚまたは１．２５ＭＨｚの、またはより低い帯域幅を通じて、データユニットを送信するように構成される。そのような帯域幅を使用するときには、データユニットの送信は比較的長い時間期間にわたって実行され得る。たとえば、５００バイトから構成されるデータユニットは約１１ミリ秒の期間にわたって送信され得る。そのような送信は、約２０ＭＨｚの帯域幅を通じて８０２．１１ａｃ規格に従って実装される同等の送信よりも約１６倍遅い。
【００４８】
図４に、ワイヤレス通信を受信するために図２のワイヤレスデバイス２０２において用いられ得る様々な構成要素を示す。図４に示す構成要素は、たとえば、ＯＦＤＭ通信を受信するために使用され得る。いくつかの態様では、図４に示す構成要素は、以下でさらに詳細に説明するように、時間的に長いデータユニット、および／または複数のデータシンボル間に配置された１つまたは複数のトレーニングフィールドを含むデータユニットを受信するために使用される。たとえば、図４に示す構成要素は、図３に関して上記で説明した構成要素によって送信されたデータユニットを受信するために使用され得る。
【００４９】
ワイヤレスデバイス２０２ｂの受信機４１２は、ワイヤレス信号中の１つまたは複数のパケットまたはデータユニットを受信するように構成される。データユニットは、以下で説明するように受信され、復号され、または他の何らかの形で処理され得る。
【００５０】
いくつかの態様では、受信機４１２は、約２．５ＭＨｚまたは１．２５ＭＨｚの、またはより低い帯域幅を通じてデータユニットを受信するように構成される。そのような帯域幅を使用するとき、データユニットの受信は、比較的長い時間期間にわたって、たとえば、データユニットが５００バイトから構成されるときには約１１ミリ秒にわたって、実行され得る。この時間中に、データユニットがそれを介して受信されるチャネルは変化していることがある。たとえば、チャネルの状態は、ワイヤレスデバイス２０２ｂの移動またはデータユニットを送信しているデバイスの移動により、あるいは天候、または様々な障害物の導入などの他の環境条件により、変化し得る。そのような状況では、データユニットの終端の近くの情報は、データユニットの受信が開始したときに決定された設定をワイヤレスデバイス２０２ｂが使用する場合、正しく復号されないことがある。しかしながら、以下でさらに詳細に説明するように、ワイヤレスデバイス２０２ｂは、複数のデータシンボルのうちの１つまたは複数を適切に復号するために、それらの複数のデータシンボル間に配置されたトレーニングフィールドを使用して、チャネルの更新された推定値を形成し得る。
【００５１】
図４に示す態様では、受信機４１２は受信増幅器４０１を含む。受信増幅器４０１は、受信機４１２によって受信されたワイヤレス信号を増幅するように構成され得る。いくつかの態様では、受信機４１２は、自動利得制御（ＡＧＣ：automatic gain control）プロシージャを使用して受信増幅器４０１の利得を調整するように構成される。いくつかの態様では、自動利得制御は、たとえば、利得を調整するために、受信されたショートトレーニングフィールド（ＳＴＦ：short training field）など、１つまたは複数の受信されたトレーニングフィールド中の情報を使用する。当業者にはＡＧＣを実行するための方法が理解されよう。いくつかの態様では、増幅器４０１はＬＮＡを備える。
【００５２】
ワイヤレスデバイス２０２ｂは、受信機４１２からの増幅されたワイヤレス信号をそれのデジタル表現に変換するように構成されたアナログデジタル変換器４１０を備え得る。増幅されることに加えて、ワイヤレス信号は、デジタルアナログ変換器４１０によって変換される前に、たとえばフィルタ処理されることによってあるいは中間またはベースバンド周波数にダウンコンバートされることによって、処理され得る。アナログデジタル変換器４１０は、プロセッサ２０４中でまたはワイヤレスデバイス２０２の別の要素（図２）中で実装され得る。いくつかの態様では、アナログデジタル変換器４１０は、トランシーバ中でまたはデータ受信プロセッサ中で実装される。
【００５３】
ワイヤレスデバイス２０２ｂは、ワイヤレス信号の表現を周波数スペクトルに変換するように構成された変換モジュール４０４をさらに備え得る。図４では、変換モジュール４０４は、高速フーリエ変換（ＦＦＴ）モジュールによって実装されるものとして示されている。いくつかの態様では、変換モジュールは、それが使用する各点についてシンボルを識別し得る。図３に関して上記で説明したように、変換モジュール４０４は、複数のモードで構成され得、各モードで信号を変換するために異なる数の点を使用し得る。たとえば、変換モジュール４０４は、３２個のトーン上で受信された信号を周波数スペクトルに変換するために３２点が使用されるモードと、６４個のトーン上で受信された信号を周波数スペクトルに変換するために６４点が使用されるモードとを有し得る。変換モジュール４０４によって使用される点の数は、変換モジュール４０４のサイズと呼ばれることがある。いくつかの態様では、変換モジュール４０４は、それが使用する各点についてシンボルを識別し得る。
【００５４】
ワイヤレスデバイス２０２ｂは、データユニットがそれを介して受信されるチャネルの推定値を形成することと、チャネル推定値に基づいてチャネルのいくつかの影響を除去することとを行うように構成された、チャネル推定器および等化器４０５をさらに備え得る。たとえば、チャネル推定器は、チャネルの関数を近似するように構成され得、チャネル等化器は、その関数の逆を周波数スペクトルにおけるデータに適用するように構成され得る。
【００５５】
いくつかの態様では、チャネル推定器および等化器４０５は、たとえば、チャネルを推定するために、ロングトレーニングフィールド（ＬＴＦ）など、１つまたは複数の受信されたトレーニングフィールド中の情報を使用する。チャネル推定値は、データユニットの始端または中央において受信された１つまたは複数のＬＴＦに基づいて形成され得る。このチャネル推定値は、その後、上記１つまたは複数のＬＴＦに後続するデータシンボルを等化するために使用され得る。一定の時間期間の後にまたは一定数のデータシンボルの後に、データユニット中で１つまたは複数の追加のＬＴＦが受信され得る。追加のＬＴＦを使用して、チャネル推定値は更新され得、または新しい推定値が形成され得る。この新しいまたは更新されたチャネル推定値は、追加のＬＴＦに後続するデータシンボルを等化するために使用され得る。いくつかの態様では、新しいまたは更新されたチャネル推定値は、追加のＬＴＦに先行するデータシンボルを再等化するために使用される。当業者にはチャネル推定値を形成するための方法が理解されよう。
【００５６】
ワイヤレスデバイス２０２ｂは、等化されたデータを復調するように構成された復調器４０６をさらに備え得る。たとえば、復調器４０６は、たとえばコンスタレーションにおけるビットからシンボルへのマッピングを逆転させることによって、変換モジュール４０４とチャネル推定器および等化器４０５とによって出力されたシンボルから複数のビットを決定し得る。それらのビットは、プロセッサ２０４（図２）によって処理または評価され得るか、あるいはユーザインターフェース２２２（図２）に情報を表示するかまたはさもなければ出力するために、使用され得る。このようにして、データおよび／または情報が復号され得る。いくつかの態様では、それらのビットはコードワードに対応する。一態様では、復調器４０６は、ＱＡＭ（直交振幅変調）復調器、たとえば１６ＱＡＭ復調器または６４ＱＡＭ復調器を備える。他の態様では、復調器４０６は、２位相シフトキーイング（ＢＰＳＫ）復調器または４位相シフトキーイング（ＱＰＳＫ）復調器を備える。
【００５７】
図４では、変換モジュール４０４と、チャネル推定器および等化器４０５と、復調器４０６とは、ＤＳＰ４２０中で実装されるものとして示されている。しかしながら、いくつかの態様では、変換モジュール４０４と、チャネル推定器および等化器４０５と、復調器４０６とのうちの１つまたは複数が、プロセッサ２０４中でまたはワイヤレスデバイス２０２の別の要素中で実装される。
【００５８】
上記で説明したように、受信機４１２において受信されたワイヤレス信号は、１つまたは複数のデータユニットを備える。上記で説明した機能または構成要素を使用して、データユニットまたはそれの中のデータシンボルは、復号され評価されるか、あるいは他の形で評価または処理され得る。たとえば、プロセッサ２０４（図２）および／またはＤＳＰ４２０は、変換モジュール４０４と、チャネル推定器および等化器４０５と、復調器４０６とを使用して、データユニット中のデータシンボルを復号するために使用され得る。
【００５９】
ＡＰ１０４とＳＴＡ１０６とによって交換されるデータユニットは、前述したように、制御情報またはデータを含み得る。物理（ＰＨＹ）レイヤにおいて、これらのデータユニットは、物理レイヤプロトコルデータユニット（ＰＰＤＵ：physical layer protocol data unit）と呼ばれることがある。いくつかの態様では、ＰＰＤＵはパケットまたは物理レイヤパケットと呼ばれることがある。各ＰＰＤＵはプリアンブルとペイロードとを備え得る。プリアンブルはトレーニングフィールドとＳＩＧフィールドとを含み得る。ペイロードは、たとえば、メディアアクセス制御（ＭＡＣ）ヘッダもしくは他のレイヤのためのデータ、および／またはユーザデータを備え得る。ペイロードは、１つまたは複数のデータシンボルを使用して送信され得る。さらに、本明細書のシステム、方法、およびデバイスは、ミッドアンブルをもつデータユニットを利用し得る。ミッドアンブルは、トレーニングフィールドを含み得、ペイロード中のデータシンボル間に配置され得る。
【００６０】
図３に示すワイヤレスデバイス２０２ａは、アンテナを介して送信されるべき単一の送信チェーンの一例を示している。図４に示すワイヤレスデバイス２０２ｂは、アンテナを介して受信されるべき単一の受信チェーンの一例を示している。いくつかの実装形態では、ワイヤレスデバイス２０２ａおよび２０２ｂは、データを同時に送信するために複数のアンテナを使用してＭＩＭＯシステムの一部分を実装し得る。
【００６１】
図５は、ワイヤレス通信を送信および受信するために図２のワイヤレスデバイス２０２などのワイヤレスデバイスにおいて実装され得るＭＩＭＯシステムの機能ブロック図である。ＭＩＭＯシステムは、図３を参照しながら説明した構成要素の一部または全部を利用し得る。受信機の出力において受信されるべき、送信のためのビットが、エンコーダ５０４に与えられる。エンコーダ５０４は、そのビットストリームに対して前方誤り訂正（ＦＥＣ）コードを適用し得る。ＦＥＣコードは、ブロックコード、畳み込みコードなどであり得る。符号化されたビットは、符号化されたビットをＮ個の送信ストリームに分配するインターリービングシステム５０５に与えられる。
【００６２】
インターリービングシステム５０５は、エンコーダ５０４からの入力ビットストリームをＮ個の空間ストリームインターリーバ５０８ａ、５０８ｂ、および５０８ｎにパースする、ストリームパーサ５０６を含む。ストリームパーサ５０６は、空間ストリームの数を与えられ、ラウンドロビンベースでビットをパースし得る。他のパース関数も使用され得る。使用され得る１つのパース関数はｋn＝ＮTX＊ｋ＋ｎである（すなわち、空間ストリームごとに１ビットを用いて、次いで次の空間ストリームに移る、ラウンドロビンであり、ここで、ｋnは入力ビットインデックスであり、ＮTXは送信機／空間ストリームの数である）。別のより一般的な関数ｆ（ｋ，ｎ）も使用され得、たとえば、ある空間ストリームに２ビットを送り、次いで次の空間ストリームに移る。各インターリーバ５０８ａ、５０８ｂ、および５０８ｎは、それぞれ、その後、フェージングまたは他のチャネル状態による誤りが修復され得るように、ビットを分配し得る。以下で、インターリーバ５０８ａ、５０８ｂ、および５０８ｎはインターリーバ５０８と呼ばれることがある。
【００６３】
各送信ストリームは、次いで、変調器５０２ａ、５０２ｂ、または５０２ｎによって変調され得る。図３を参照しながら上記で説明したように、ビットは、ＱＰＳＫ（４位相シフトキーイング）変調、ＢＰＳＫ（一度に１ビットをマッピングする）、１６ＱＡＭ（６ビットのグループをマッピングする）、６４ＱＡＭなどの変調技法を使用して変調され得る。各ストリームについての変調されたビットは、変換モジュール５１０ａ、５１０ｂ、および５１０ｎに与えられ得る。いくつかの実装形態では、変換モジュール５１０ａ、５１０ｂ、および５１０ｎは、変調されたビットを周波数領域から時間領域に変換するために逆離散時間フーリエ変換（ＩＤＦＴ：inverse discrete time fourier transform）を実行し得る。変換モジュール５１０ａ、５１０ｂ、および５１０ｎは、図３を参照しながら上記で説明したように、異なるモードに従って動作し得る。たとえば、変換モジュール５１０ａ、５１０ｂ、および５１０ｎは、３２点モードまたは６４点モードに従って動作するように構成され得る。いくつかの実装形態では、変調されたビットは、変換モジュール５１０ａ、５１０ｂ、および５１０ｎに与えられる前に、時空間ブロックコーディング（ＳＴＢＣ：space time block coding）を使用して符号化され得、空間マッピングが実行され得る。変調されたビットが各空間ストリームについて時間領域信号に変換された後、その時間領域信号は、図３を参照しながら上記で説明したように、変換器５１２ａ、５１２ｂ、および５１２ｎを介してアナログ信号に変換され得る。その信号は、次いで、送信機５１４ａ、５１４ｂ、および５１４ｃを使用して、ならびにアンテナ５１６ａ、５１６ｂ、または５１６ｎを使用して、所望の周波数帯域幅（たとえば、１ＭＨｚ、２ＭＨｚ、４ＭＨｚ、８ＭＨｚ、および１６ＭＨｚ、またはより高い周波数帯域幅）上でワイヤレス無線空間中に送信され得る。
【００６４】
いくつかの実施形態では、アンテナ５１６ａ、５１６ｂ、および５１６ｎは、別個の、空間的に分離したアンテナである。他の実施形態では、別個の信号が合成されて、Ｎ個よりも少数のアンテナからの異なる偏波になり得る。このことの一例は、空間回転または空間拡散が行われ、マルチプルな空間ストリームが単一のアンテナ上にマッピングされる場合である。さらに、別個の空間ストリームが異なる方法で編成され得ることを理解されたい。たとえば、ある１つの送信アンテナが、２つ以上の空間ストリームからのデータを搬送し得、またはいくつかの送信アンテナが、ある１つの空間ストリームからのデータを搬送し得る。たとえば、４つの送信アンテナと２つの空間ストリームとを備えた送信機の事例について考える。各空間ストリームは２つの送信アンテナ上にマッピングされ得、したがって２つのアンテナが、ただ１つの空間ストリームからのデータを搬送している。
【００６５】
図６は、ワイヤレス通信を受信するために図２のワイヤレスデバイス２０２などのワイヤレスデバイスにおいて実装され得る例示的なＭＩＭＯシステムの機能ブロック図である。ＭＩＭＯシステムは、図４を参照しながら説明した構成要素の一部または全部を利用し得る。ワイヤレスデバイス２０２ｂは、図５のアンテナ５１６ａ、５１６ｂ、および５１６ｎからの送信を受信するように構成され得る。ワイヤレスデバイス２０２ｂは、Ｎ個の受信回路に結合されたＮ個のアンテナ５１８ａ、５１８ｂ、および５１８ｎ、または６１８ａ、６１８ｂ、および６１８ｎ（適宜に、別個の偏波を計数する）においてチャネルから信号を受信する。それらの信号は、次いで、受信された信号を増幅するように構成された増幅器をそれぞれ含み得る受信機６２０ａ、６２０ｂ、および６２０ｎに与えられる。それらの信号は、次いで、変換器６２２ａ、６２２ｂ、および６２２ｎを介してデジタル形式に変換され得る。
【００６６】
変換された信号は、次いで、変換モジュール６２４ａ、６２４ｂ、および６２４ｎを介して周波数スペクトルに変換され得る。上記で説明したように、変換モジュール６２４ａ、６２４ｂ、および６２４ｎは、様々なモードに従って、ならびに使用されるサイズおよび帯域幅に従って動作し得る（たとえば、３２点、６４点など）。変換された信号は、図４を参照しながら上記で説明したのと同様に機能し得る、それぞれのチャネル推定器および等化器ブロック６２６ａ、６２６ｂ、および６２６ｎに与えられ得る。チャネル推定の後に、その出力は（たとえば、図５のＭＩＭＯ検出器５２８に対応する）ＭＩＭＯ検出器６２８に与えられ得、ＭＩＭＯ検出器６２８は、その後それの出力を復調器６３０ａ、６３０ｂ、および６３０ｎに与え得、復調器６３０ａ、６３０ｂ、および６３０ｎは、上記で説明したような変調技法のうちの１つに従ってビットを復調し得る。復調されたビットは、次いで、デインターリーバ６３２ａ、６３２ｂ、および６３２ｎに与えられ得、デインターリーバ６３２ａ、６３２ｂ、および６３２ｎは、ビットをストリームデパーサ６３４中へと受け渡し、ストリームデパーサ６３４は、それらのビットを単一ビットストリームにして（たとえば、図５のデコーダ５３６に対応する）デコーダ６３６中へと提供し、デコーダ６３６は、それらのビットを適切なデータストリームへと復号し得る。
【００６７】
上記で説明したように、ＡＰ１０４とＳＴＡ１０６とによって交換されるデータユニットは、物理（ＰＨＹ）レイヤパケットまたは物理レイヤプロトコルデータユニット（ＰＰＤＵ）の形態の制御情報またはデータを含み得る。
【００６８】
図７は、物理レイヤパケット７００のプリアンブル７０２とペイロード７１０との例示的な構造を示すブロック図である。プリアンブル７０２は、既知の値のＳＴＦシーケンスを含むショートトレーニングフィールド（ＳＴＦ）７０４を含み得る。いくつかの態様では、ＳＴＦは、（たとえば、パケットの開始を検出するための）パケット検出、粗い時間／周波数の推定、および自動利得制御設定のために使用され得る。ＳＴＦシーケンスは、低いＰＡＰＲを有するように最適化され、特定の周期性をもつ非ゼロのトーンのサブセットを含み得る。ＳＴＦ７０４は１つまたは複数のＯＦＤＭシンボルにまたがり得る。いくつかの態様では、プリアンブル７０２は、１つまたは複数のＯＦＤＭシンボルにまたがり得、既知の非ゼロ値の１つまたは複数のＬＴＦシーケンスを含み得る、ロングトレーニングフィールド（ＬＴＦ）７０６を含み得る。ＬＴＦは、チャネル推定、信号対雑音推定、精密な時間／周波数の推定、およびモード検出のために使用され得る。さらに、いくつかの態様では、プリアンブル７０２は、上記で説明したように信号フィールド（ＳＩＧ）７０８を含み得、ＳＩＧ７０８は、一態様では、モード検出目的と送信パラメータの決定とのために使用される、いくつかのビットまたは値を含み得る。
【００６９】
本明細書で説明するいくつかの実装形態は、スマートメータリングのためにまたはスマートグリッドネットワークにおいて使用され得る、ワイヤレス通信システムを対象とする。これらのワイヤレス通信システムは、センサー適用例を与えるためにまたはホームオートメーションにおいて使用され得る。そのようなシステムにおいて使用されるワイヤレスデバイスは、代わりにまたは追加的に、ヘルスケアの状況において、たとえば、パーソナルヘルスケアのために使用され得る。それらのデバイスはまた、（たとえば、ホットスポットとともに使用する）拡張された範囲のインターネット接続性を可能にするために、またはマシンツーマシン通信を実装するために、監視のために使用され得る。したがって、いくつかの実装形態は、約１５０Ｋｂｐｓなどの低いデータレートを使用し得る。実装形態は、さらに、８０２．１１ｂなどの他のワイヤレス通信よりも増加したリンクバジェット利得（たとえば、約２０ｄＢ）を有し得る。低いデータレートに従って、ワイヤレスノードが家庭環境において使用するために構成された場合、いくつかの態様は、電力増幅を用いない良好な家庭内カバレージの実装形態を対象とし得る。さらに、いくつかの態様は、ＭＥＳＨプロトコルを使用せずにシングルホップネットワーキングを対象とし得る。さらに、いくつかの実装形態により、他のワイヤレスプロトコルよりも、電力増幅を用いた著しい屋外カバレージの改善が生じ得る。さらに、いくつかの態様は、大きい屋外遅延拡散とドップラーに対する低減感度とに適応し得る実装形態を対象とし得る。いくつかの実装形態は、従来のＷｉＦｉと同様のＬＯ精度を達成し得る。
【００７０】
したがって、いくつかの実装形態は、サブギガヘルツ帯域中のワイヤレス信号を送信および受信することを対象とする。一態様では、これにより、たとえば、８．５ｄＢの伝搬利得が生じ得る（たとえば、９００ＭＨｚ対２．４ＧＨｚにより利用可能）。別の態様では、サブギガヘルツ信号を使用することによって障害損失が低減され得、これにより、たとえば、３ｄＢの利得が生じ得る。
【００７１】
いくつかの実装形態は、サブギガヘルツ帯域中の低い帯域幅を用いてワイヤレス信号を送ることをさらに対象とする。これは、他のワイヤレス通信システムよりも大きいリンクバジェット利得を達成することをさらに可能にし得る。たとえば、一実装形態では、シンボルが、１ＭＨｚの帯域幅を使用して送信または受信されるように構成され得る。図２のワイヤレスデバイス２０２は、いくつかのモードのうちの１つで動作するように構成され得る。あるモードでは、ＯＦＤＭシンボルなどのシンボルが、１ＭＨｚの帯域幅を使用して送信または受信され得る。別のモードでは、シンボルが、２ＭＨｚの帯域幅を使用して送信または受信され得る。４ＭＨｚ、８ＭＨｚ、１６ＭＨｚなどの帯域幅を使用してシンボルを送信または受信するために追加のモードも与えられ得る。帯域幅はチャネル幅と呼ばれることもある。
【００７２】
各モードは、情報を送信するために異なる数のトーン／サブキャリアを使用し得る。たとえば、一実装形態では、（１ＭＨｚの帯域幅を使用してシンボルを送信または受信することに対応する）１ＭＨｚモードが３２個のトーンを使用し得る。一態様では、１ＭＨｚモードを使用することは、２０ＭＨｚなどの帯域幅と比較して１３ｄＢの雑音低減を実現し得る。さらに、チャネル状態に応じて４〜５ｄＢの損失を生じ得る、より低い帯域幅に起因する周波数ダイバーシティ損失などの影響を克服するために、低レート技法が使用され得る。３２個のトーンを使用して送信または受信されるシンボルを生成／評価するために、図３および図４において説明したような変換モジュール３０４または４０４は、３２点モード（たとえば、３２点ＩＦＦＴまたはＦＦＴ）を使用するように構成され得る。３２個のトーンは、データトーン、パイロットトーン、ガードトーン、およびＤＣトーンとして割り振られ得る。一実装形態では、２４個のトーンがデータトーンとして割り振られ得、２つのトーンがパイロットトーンとして割り振られ得、５つのトーンがガードトーンとして割り振られ得、１つのトーンがＤＣトーンのために予約され得る。この実装形態では、シンボル持続時間は、サイクリックプレフィックスを含めて４０μｓであるように構成され得る。
【００７３】
たとえば、図３のワイヤレスデバイス２０２ａは、１ＭＨｚの帯域幅を使用したワイヤレス信号を介した送信のためのパケットを生成するように構成され得る。一態様では、その帯域幅は約１ＭＨｚであり得、ここで、約１ＭＨｚは０．８ＭＨｚ〜１．２ＭＨｚの範囲内であり得る。パケットは、ＤＳＰ３２０（図３）を使用して、説明したように割り振られた３２個のトーンを有する１つまたは複数のＯＦＤＭシンボルから形成され得る。送信チェーン中の変換モジュール３０４（図３）は、パケットを時間領域信号に変換するために３２点モードに従って動作するＩＦＦＴモジュールとして構成され得る。送信機３１０（図３）は、次いで、パケットを送信するように構成され得る。
【００７４】
同様に、図４のワイヤレスデバイス２０２ｂは、１ＭＨｚの帯域幅上でパケットを受信するように構成され得る。一態様では、その帯域幅は約１ＭＨｚであり得、ここで、約１ＭＨｚは０．８ＭＨｚ〜１．２ＭＨｚの範囲内であり得る。ワイヤレスデバイス２０２ｂは、時間領域信号を周波数スペクトルに変換するために３２点モードに従って動作するＦＦＴモジュールとして構成され得る、受信チェーン中の変換モジュール４０４（図４）を含むＤＳＰ４２０（図４）を含み得る。ＤＳＰ４２０はパケットを評価するように構成され得る。１ＭＨｚモードは、低いデータレートと「通常」レートとの両方のための変調およびコーディング方式（ＭＣＳ：modulation and coding scheme）をサポートし得る。いくつかの実装形態によれば、プリアンブル７０２は、以下でさらに説明するように、信頼できる検出と改善されたチャネル推定とを提供する低レートモードのために設計され得る。各モードは、そのモードと所望の特性とについて送信を最適化するように構成された対応するプリアンブルを使用するように構成され得る。
【００７５】
１ＭＨｚモードに加えて、６４個のトーンを使用してシンボルを送信および受信するために使用され得る、２ＭＨｚモードがさらに利用可能であり得る。一実装形態では、６４個のトーンは、５２個のデータトーン、４個のパイロットトーン、１個のＤＣトーン、および７個のガードトーンとして割り振られ得る。したがって、図３および図４の変換モジュール３０４または４０４は、２ＭＨｚシンボルを送信または受信するとき、６４点モードに従って動作するように構成され得る。また、シンボル持続時間は、サイクリックプレフィックスを含めて４０μｓであり得る。対応する異なるサイズのモードで動作する変換モジュール３０４または４０４（たとえば、１２８点ＦＦＴ、２５６点ＦＦＴ、５１２点ＦＦＴなど）を使用し得る、異なる帯域幅（たとえば、４ＭＨｚ、８ＭＨｚ、および１６ＭＨｚ）を用いた追加のモードが与えられ得る。さらに、上記で説明したモードの各々は、さらに、シングルユーザモードとマルチユーザモードの両方に従って構成され得る。２ＭＨｚ以下の帯域幅を使用するワイヤレス信号は、帯域幅、電力、およびチャネルの制限の広い範囲にわたってグローバルな制限的制約を満たすように構成された、ワイヤレスノードを与えるための様々な利点を与え得る。
【００７６】
いくつかの態様では、図２のワイヤレスデバイス２０２は、いくつかのワイヤレス規格に従って、たとえば、８０２．１１規格のうちの１つに従って動作するように構成される。この構成では、ワイヤレスデバイス２０２は、２．４ＧＨｚまたは５ＧＨｚ帯域中の２０ＭＨｚチャネル幅で動作するためのモード、ならびに２．４ＧＨｚ帯域中の４０ＭＨｚチャネル幅で動作するためのモードを有し得る。別の態様では、ワイヤレスデバイス２０２は８０２．１１ａｃ規格に従って動作するように構成される。この構成では、ワイヤレスデバイス２０２は、２０ＭＨｚ、４０ＭＨｚ、および８０ＭＨｚのチャネル幅の各々で動作するためのモードを有する。概して、変換モジュール３０４または４０４は、ワイヤレスデバイス２０２が２０ＭＨｚ帯域で動作しているときには６４個のトーンを使用し得、ワイヤレスデバイス２０２が４０ＭＨｚ帯域で動作しているときには１２８個のトーンを使用し得、ワイヤレスデバイス２０２が８０ＭＨｚ帯域で動作しているときには２５６個のトーンを使用し得る。
【００７７】
いくつかの態様では、（たとえば、図２のプロセッサ２０４またはＤＳＰ２２０などの）コントローラが、上記で説明したようにサブギガヘルツ帯域で動作するように図２のワイヤレスデバイス２０２の動作を調整するように構成される。一実装形態では、上記で説明したように１ＭＨｚ、２ＭＨｚ、４ＭＨｚなどのモードに従って動作するために、コントローラは、ワイヤレスデバイス２０２が、１ＭＨｚ、２ＭＨｚ、４ＭＨｚ、８ＭＨｚ、または１６ＭＨｚで動作することになるように、ワイヤレスデバイス２０２中の構成要素のうちの１つまたは複数をダウンクロックするように構成され得る。さらに、プロセッサ２０４は、ワイヤレスデバイス２０２が、５ＭＨｚ、２．５ＭＨｚ、１．２５ＭＨｚ、および／または０．６２５ＭＨｚのチャネル幅の帯域幅を使用することに対応するモードで動作することになるように、ワイヤレスデバイス２０２中の構成要素のうちの１つまたは複数の動作をダウンクロックするように構成され得る。そのようなダウンクロックされた動作中に、変換モジュール３０４または４０４によって使用されるトーンの数は、いくつかの態様では同じままであり得る。
【００７８】
ワイヤレスデバイス２０２の動作をダウンクロックすることは、図２に示した構成要素のうちの１つまたは複数を低減されたクロックレートで動作させることを備え得る。たとえば、上記ダウンクロックすることは、プロセッサ２０４、信号検出器２１８、ＤＳＰ２２０、および／または他の任意のデジタル信号回路を、たとえば、これらの構成要素のうちの１つまたは複数のタイミング設定を調整するか、修正するか、または割り当てることによって、より低いレートで動作させることを含み得る。いくつかの態様では、ダウンクロックされた動作は、プロセッサ２０４からのコマンドに応答して実行される。いくつかの態様では、プロセッサ２０４は、２０ＭＨｚ、４０ＭＨｚ、または８０ＭＨｚのチャネル幅で動作するときに使用されるクロック信号と比較して低減されたクロック信号を与える。
【００７９】
いくつかの態様では、プロセッサ２０４は、図２のワイヤレスデバイス２０２の動作を倍率（factor）１０で（たとえば、１０×で）ダウンクロックさせるように構成される。そのような構成では、２０ＭＨｚチャネル幅での動作は２ＭＨｚチャネル幅での動作にダウンクロックされることになり、４０ＭＨｚチャネル幅での動作は４ＭＨｚチャネル幅での動作にダウンクロックされることになる。さらに、８０ＭＨｚチャネル幅での動作は８ＭＨｚチャネル幅での動作にダウンクロックされることになり、１６０ＭＨｚチャネル幅での動作は１６ＭＨｚチャネル幅での動作にダウンクロックされることになる。
【００８０】
上記で説明したのと同様に、一態様では、ＯＦＤＭシンボルの送信または受信のための１ＭＨｚ帯域幅が使用されるときには、３２点変換モジュール３０４または４０４が使用され得る。この場合、トーンは、２４個のデータトーン、２個のパイロットトーン、５個のガードトーン、および１個のＤＣトーンとして割り振られ得る。別の態様では、ＯＦＤＭシンボルの送信または受信のための２ＭＨｚ帯域幅が使用されるときには、６４点変換モジュール３０４または４０４が使用され得る。この場合、トーンは、５２個のデータトーン、４個のパイロットトーン、７個のガードトーン、および１個のＤＣトーンとして割り振られ得る。さらに別の態様では、ＯＦＤＭシンボルの送信または受信のための４ＭＨｚ帯域幅が使用されるときには、図３および図４の６４点変換モジュール３０４または４０４が使用され得る。この場合、トーンは、１０８個のデータトーン、６個のパイロットトーン、１１個のガードトーン、および３個のＤＣトーンとして割り振られ得る。またさらなる態様では、ＯＦＤＭシンボルの送信または受信のための８ＭＨｚ帯域幅が使用されるときには、２５６点変換モジュール３０４または４０４が使用され得る。この場合、トーンは、２３４個のデータトーン、８個のパイロットトーン、１１個のガードトーン、および３個のＤＣトーンとして割り振られ得る。したがって、これらの帯域幅についてのトーン間の間隔は、３１．２５ＫＨｚであり得る。さらに、シンボル持続時間は、４μｓ（ショートサイクリックプレフィックスの場合）または８μｓ（ロングサイクリックプレフィックスの場合）のいずれかのサイクリックプレフィックスを含む４０μｓであり得る。屋外遅延拡散に適応するために、より長いサイクリックプレフィックスが使用され得る。さらに、サイクリックプレフィックスオーバーヘッドを管理可能に保つために、大きいシンボル持続時間が必要とされ得る。
【００８１】
いくつかの態様では、図２のワイヤレスデバイス２０２の動作がダウンクロックされる量は、あらかじめ決定される。たとえば、ダウンクロッキング倍率（downclocking factor）は、メモリ２０６に記憶され、ワイヤレスデバイス２０２のスタートアップ時にロードされ得る。そのような構成では、プロセッサ２０４は、ワイヤレスデバイス２０２を、あらかじめ決定されたまたはロードされたダウンクロッキング倍率に従ってダウンクロックモードで動作させ得る。
【００８２】
いくつかの態様では、図２のワイヤレスデバイス２０２の動作が所与の時点においてダウンクロックされる量は、現場（in situ）で決定され得る。たとえば、信号検出器２１８は、受信機２１２によって受信されたビーコンまたはパイロットからダウンクロッキング倍率を決定し得る。いくつかの態様では、この倍率は、デバイスのスタートアップ時に、またはネットワークに初めて接続するときに、決定され得る。いくつかの態様では、新しい倍率が、ワイヤレスデバイス２０２のハンドオフ中に、またはワイヤレスデバイス２０２が新しいネットワークに接続するたびに、決定される。いくつかの態様では、あらかじめ決定された倍率が、受信されたビーコンまたはパイロットに基づいてなど、受信された信号に基づいて、修正または更新され得る。このようにして、ワイヤレスデバイス２０２は、たとえば、そのデバイスのロケーション、またはそのデバイスが接続しているネットワークに従って、異なる帯域幅で動作し得る。プロセッサ２０４は、ワイヤレスデバイス２０２を、決定されたダウンクロッキング倍率に従ってダウンクロックモードで動作させ得る。
【００８３】
いくつかの態様では、図２のワイヤレスデバイス２０２は、ダウンクロックモードで動作するように永続的に構成される。たとえば、ワイヤレスデバイス２０２の構成要素は、有線接続され得るか、またはそのデバイスにダウンクロックされた動作を常に実行させる、それらの構成要素にインストールされたファームウェアを有し得る。そのような態様では、ワイヤレスデバイス２０２は、２０ＭＨｚ、４０ＭＨｚ、および８０ＭＨｚのチャネル幅で通信することが不可能であり得る。さらに、ダウンクロッキングの倍率は、そのような態様では固定であり得る。たとえば、上記構成要素は、固定のダウンクロッキング倍率のみを実装するように製造および／または設置され得る。他の態様では、ワイヤレスデバイスは、２０ＭＨｚ、４０ＭＨｚ、および８０ＭＨｚのチャネル幅のいずれかで動作され、または１ＭＨｚ、２ＭＨｚ、４ＭＨｚ、８ＭＨｚ、および１６ＭＨｚのチャネル幅で動作するようにプロセッサ２０４によって選択的にダウンクロックされ得る。
【００８４】
いくつかの実装形態では、サブギガヘルツレンジ（たとえば、９００ＭＨｚ）において送信するときには、反復モードが使用され得、その場合、反復コーディングが実装される。反復モードは、それほど多くのプリアンブルオーバーヘッドを犠牲にすることなしに、長い距離にわたって精確な送信を可能にし得る。いくつかの実装形態では、２×反復符号化が使用され得る。たとえば、反復符号化は、良好な家庭内カバレージを与えるために、わずか１０５ｄＢの経路損失を可能にし得る。反復コーディングなしに、ワイヤレスセンサーネットワークを使用するときには、顧客は、より高い電力のセンサーを届きにくい場所に設置しなければならないことがある。２つのタイプのセンサー（「届きやすい場所」のためのセンサーと、「届きにくい場所」のためのセンサー）を販売することは実際的でないことがある。さらに、高電力センサーは、ピーク電流ドレインにより低電力バッテリー（たとえば、ボタン電池）を用いて動作することが可能でないことがある。代替的に、反復がない場合、マルチプルなＡＰが設置され得る。しかしながら、ＡＰのロケーションと構成とを選定することは、平均的な消費者にとって自明でないことがある。したがって、反復コーディングは、センサーネットワークなどの低データレート適用例のためのいくつかの実装形態に様々な利点をもたらし得る。
【００８５】
一例として、一態様では、ＢＰＳＫレート１／２（ハーフ）コーディングが４×反復とともに使用されて、９４Ｋｂｐｓが得られる。別の態様では、ＢＰＳＫレート１／２コーディングが２×反復とともに使用されて、１８８Ｋｂｐｓが得られる。さらに別の態様では、ＢＰＳＫレート１／２コーディングが使用されて、３７５Ｋｂｐｓが得られる。さらなる態様では、６４ＱＡＭレート３／４コーディングが使用されて、３．７５Ｍｂｐｓを生じる。
【００８６】
いくつかの実装形態では、１ＭＨｚモードおよび２ＭＨｚモードが必要とされ、相互動作可能であるように構成され得る。必要とされる２つのモードを使用することは、デバイスが一部の制限的領域のために構成され得るが他の制限的領域のためには機能しない場合の問題を回避し得、制限的制約が変化して、あまり制約のない通信が可能になった場合に、デバイスがより多くのオプションを有することを可能にし得る。セルラーオフロードのために、より高い帯域幅（たとえば、８ＭＨｚ）が使用され得る。
【００８７】
図７を参照すると、前述の帯域幅をもつサブギガヘルツ帯域中でパケットを送信するときには、プリアンブル７０２は、異なるモードの間で検出するためにプリアンブルの初期の状態でロバストなモード検出を有するように設計され得る。プリアンブル７０２は、さらに、オーバーヘッドを最小限に抑えることと、１ＭＨｚモードを使用して送信するデバイスと２ＭＨｚ以上のモードを使用して送信するデバイスとの適切な共存をもたらすこととを行うように最適化され得る。プリアンブル７０２は、１ＭＨｚ送信（３２点ＦＦＴ）と２ＭＨｚ送信（６４点ＦＦＴ）との間で検出するためにプリアンブルの初期の状態でロバストなモード検出を有するように設計され得る。物理レイヤパケット７００は、一態様では、より大きい距離にわたるデータの送信を可能にするために、異なるデータレート用の送信のために生成され得る。たとえば、物理レイヤパケット７００は、上記で説明したように、別の「通常」データレートとともに低いデータレート用に生成され得る。
【００８８】
図８Ａは、いくつかの実装形態による、実質的に１ＭＨｚの帯域幅を通じた送信のための物理レイヤパケット８００ａのプリアンブル８０２ａとペイロード８１０ａとの例示的な構造を示すブロック図である。物理レイヤパケット８００ａは、上記で説明したように３２個のトーンを用いてＯＦＤＭシンボルを送信するための３２点ＦＦＴモードに従って構成された変換モジュール３０４（図３）を使用して生成され得る。
【００８９】
プリアンブル８０２ａはショートトレーニングフィールド（ＳＴＦ）８０４ａを含み得る。ＳＴＦ８０４ａは、特に選定された周期性をもつ非ゼロのトーンのサブセットに対応する非ゼロ値のサブセットをもつ既知の値のシーケンスを含み得る。非ゼロのトーンの周期性は、２ＭＨｚなど、より高い帯域幅中で使用されるＳＴＦシーケンスのために使用されるのと同じであり得る。いくつかの実装形態では、ＳＴＦフィールド８０４ａは、反復コーディングについては３ｄＢなど、ブースト（boosted）され得る。ＳＴＦ８０４ａは４つのＯＦＤＭシンボルにわたって送られ得、その場合、各シンボルは既知のＳＴＦシーケンスを反復する。
【００９０】
プリアンブル８０２ａはロングトレーニングフィールド（ＬＴＦ）８０６ａを含み得る。ＬＴＦ８０６ａは、４つのＯＦＤＭシンボルから形成され得、各シンボル中で送信されるＬＴＦシーケンスを含み得る。ＬＴＦシーケンスは、すべてのパイロットおよびデータのトーンについて、非ゼロのトーンに対応する既知の非ゼロ値から形成され得る。いくつかの実装形態では、ＬＴＦシーケンスは、したがって２６個の非ゼロ値を含み得る。
【００９１】
プリアンブル８０２ａはシグナリングフィールド（ＳＩＧ）８０８ａを含み得る。いくつかの実装形態では、ＳＩＧフィールド８０８ａは、反復コーディングされるか、または２×反復コーディングされ得る。物理レイヤパケット８００ａは、データのために割り振られた各ＯＦＤＭシンボル中で２４個のトーンを使用して生成され得るペイロード８１０ａをさらに含み得る。プリアンブル８０２ａは、低いレートまたは通常レートのいずれかの１ＭＨｚ送信を生成するために使用され得る。プリアンブル８０２ａはシングルユーザモードに従って使用され得る。
【００９２】
上記で説明したように、１ＭＨｚモードのためのＳＩＧフィールド８０８ａは２つのシンボルであり得る。一実装形態では、ＳＩＧフィールド８０８ａへのエントリは、以下の表１に示すエントリに対応し得る。したがって、ＳＩＧフィールド８０８ａは３６ビットを含み得る。ＳＩＧフィールド８０８ａはＢＰＳＫレート１／２反復２×でコーディングされ得る。  
【表１】
2015507880.tif 000003
【００９３】
図８Ｂは、シングルユーザモードによる、実質的に２ＭＨｚの帯域幅を通じた送信のための物理レイヤパケット８００ｂのプリアンブル８０２ｂとペイロード８１０ｂとの例示的な構造を示すブロック図である。物理レイヤパケット８００ｂは、上記で説明したように、６４個のトーンを用いてＯＦＤＭシンボルを送信するための６４点ＦＦＴモードに従って構成された変換モジュール３０４（図３）を使用して生成され得る。
【００９４】
プリアンブル８０２ｂはショートトレーニングフィールド（ＳＴＦ）８０４ｂを含み得る。ＳＴＦ８０４ｂは、決定された周期性をもつ６４個のトーン上での非ゼロのトーンのサブセットに対応する非ゼロ値のサブセットをもつ既知の値のシーケンスを含み得る。非ゼロのトーンの周期性は、１ＭＨｚ送信のために使用されるＳＴＦシーケンスのために使用されるのと同じであり得る。プリアンブル８０２ｂはロングトレーニングフィールド（ＬＴＦ）８０６ｂをさらに含み得る。ＬＴＦ８０６ｂは、２つのＯＦＤＭシンボルから形成され得、各シンボル中で送信されるＬＴＦシーケンスを含み得る。ＬＴＦシーケンスは、すべてのパイロットおよびデータのトーンについて、非ゼロのトーンに対応する非ゼロ値を備え得る。ＬＴＦシーケンスは、したがって、いくつかの実装形態では５６個の非ゼロ値を含み得る。プリアンブル８０２ｂはシグナリングフィールド（ＳＩＧ）８０８ｂをさらに含み得る。ＳＩＧフィールド８０８ｂは２つのＯＦＤＭシンボルから形成され得る。ＳＩＧフィールド８０８ｂの２つのＯＦＤＭシンボルは、それぞれＱＢＰＳＫ回転され得る。２つ以上の空間ストリームが使用されている場合、（たとえば、２つ以上ある場合、ＬＴＦ８０４ｂが第１の空間ストリームに対応し得るので）プリアンブル８０２ｂは、使用されている追加の空間ストリームの各々について追加のロングトレーニングフィールド（ＬＴＦ）８１６ｂを含み得る。物理レイヤパケット８００ｂは、データのために割り振られた各ＯＦＤＭシンボル中で５２個のトーンを使用して生成され得るペイロード８１０ｂをさらに含み得る。プリアンブル８０２ｂはシングルユーザモードに従って使用され得る。
【００９５】
図８Ｃは、マルチユーザモードによる、２ＭＨｚの帯域幅を通じた送信のための物理レイヤパケット８００ｃのプリアンブル８０２ｃとペイロード８１０ｃとの例示的な構造を示すブロック図である。図８Ｂを参照しながら上記で説明したように、物理レイヤパケット８００ｃは、６４個のトーンを用いてＯＦＤＭシンボルを送信するための６４点ＦＦＴモードに従って構成された変換モジュール３０４（図３）を使用して生成され得る。
【００９６】
プリアンブル８０２ｃはショートトレーニングフィールド（ＳＴＦ）８０４ｃを含み得る。ＳＴＦ８０４ｃは、決定された周期性をもつ６４個のトーン上での非ゼロのトーンのサブセットに対応する非ゼロ値のサブセットをもつ既知の値のシーケンスを含み得る。非ゼロのトーンの周期性は、１ＭＨｚ送信のために使用されるＳＴＦシーケンスのために使用されるのと同じであり得る。プリアンブル８０２ｃはロングトレーニングフィールド（ＬＴＦ）８０６ｃをさらに含み得る。ＬＴＦ８０６ｃは、２つのＯＦＤＭシンボルから形成され得、各シンボル中で送信されるＬＴＦシーケンスを含み得る。ＬＴＦシーケンスは、すべてのパイロットおよびデータのトーンについて、非ゼロのトーンに対応する非ゼロ値を備え得る。ＬＴＦシーケンスは、したがって、いくつかの実装形態によれば５６個の非ゼロ値を含み得る。プリアンブル８０２ｃはシグナリングフィールド（ＳＩＧ）８０８ｃをさらに含み得る。ＳＩＧフィールド８０８ｃは２つのＯＦＤＭシンボルから形成され得る。ＳＩＧフィールド８０８ｃの２つのＯＦＤＭシンボルのうちの第１のＯＦＤＭシンボルは、ＱＢＰＳＫ回転され得る。一態様では、これにより、受信機は、ＳＩＧフィールドシンボルのうちの１つのみがＱＢＰＳＫ回転されるかどうかに基づいて、パケット８００ｃがマルチユーザモードパケットであるのかシングルユーザモードパケットであるのかを検出することが可能になる。プリアンブル８０２ｃは超高スループットショートトレーニングフィールド（ＶＨＴ−ＳＴＦ：very high throughput short training field）８１４ｃをさらに含み得る。ＶＨＴ−ＳＴＦ８１４ｃは、ＩＥＥＥ８０２．１１ａｃ送信のために使用されるＶＨＴ−ＳＴＦに対応し得る。プリアンブル８０２ｃは、使用されている各空間ストリームに対応する１つまたは複数の超高スループットロングトレーニングフィールド（ＶＨＴ−ＬＴＦ：very high throughput long training field）８１６ｃをさらに含み得る。ＶＨＴ−ＬＴＦ８１６ｃは、ＩＥＥＥ８０２．１１ａｃ送信のために使用されるＶＨＴ−ＬＴＦに対応し得る。プリアンブル８０２ｃは超高スループット信号フィールド（ＶＨＴ−ＳＩＧ−Ｂ：very high throughput signal field）８１８ｃをさらに含み得る。ＶＨＴ−ＳＩＧ−Ｂ８１８ｃは、ＩＥＥＥ８０２．１１ａｃ送信のために使用されるＶＨＴ−ＳＩＧ−Ｂに対応し得る。物理レイヤパケット８００ｃは、データのために割り振られた各ＯＦＤＭシンボル中で５２個のトーンを使用して生成され得るペイロード８１０ｃをさらに含み得る。プリアンブル８０２ｃはマルチユーザモードに従って使用され得る。
【００９７】
３２点モード（すなわち、１ＭＨｚ）と６４点モード（２ＭＨｚ）とを区別することは、３２トーンモードおよび６４トーンモード上で周波数において直交するＬＴＦシーケンスを使用することによって、または第１のＳＩＧシンボルに対するＱＢＰＳＫ回転を検出することによって、行われ得る。
【００９８】
上記で説明したように、図２のワイヤレスデバイス２０２は、４ＭＨｚ、８ＭＨｚ、１６ＭＨｚ、および３２ＭＨｚの場合など、２ＭＨｚよりも大きい帯域幅を通じた送信のためのＯＦＤＭシンボルを生成するように構成され得る。いくつかの実装形態では、２ＭＨｚよりも大きい帯域幅上でＯＦＤＭシンボルを送るときには、ＳＩＧフィールド８０８ｂ（図８Ｂ）は、ＯＦＤＭシンボルのあらゆる２ＭＨｚセグメントにおいて複製され得、そのシンボルの帯域幅を決定することが可能であるように使用され得る。ＳＩＧフィールドのためのＯＦＤＭシンボルは、データのために割り振られた５２個のトーンを使用し得るので、ＳＩＧフィールドの複製により、より高い帯域幅（４ＭＨｚ、８ＭＨｚ、１６ＭＨｚ）について７つのガードトーン（シンボルの端部の３つのトーンおよび４つのトーン）が残り得る。
【００９９】
場合によっては、ＬＴＦ８０６ｂおよび／またはＳＩＧ８０８ｂのフィールド（図８Ｂ）のために追加のガードトーンを使用することが望ましいことがある。たとえば、４ＭＨｚ、８ＭＨｚ、および１６ＭＨｚのプリアンブルシンボルは、８０２．１１ａｃ送信の４０ＭＨｚ、８０ＭＨｚ、および１６０ＭＨｚのために使用される対応するシンボルに対応することが望ましいことがある。一例として、ＬＴＦ８０６ｂは、ＯＦＤＭシンボルがそれぞれ４ＭＨｚ、８ＭＨｚ、および１６ＭＨｚのためのものであるかどうかに応じて、４０ＭＨｚ、８０ＭＨｚ、および１６０ＭＨｚの８０２．１１ａｃ送信のためのＶＨＴ−ＬＴＦを使用し得る。４０ＭＨｚ、８０ＭＨｚ、および１６０ＭＨｚのためのＶＨＴ−ＬＴＦは、１１個のガードトーン（５／６）を有するので、これらのＶＨＴ−ＬＴＦを使用することは、たとえばＳＩＧ８０８ｂフィールドがデータのために５２個のトーンを割り振った場合、各エッジにおける２つのトーンについてチャネル推定のために非ゼロ値を与えないことがある。さらに、ＬＴＦ８０６ｂおよびＳＩＧ８０８ｂが、５２個のデータトーンを使用して（すなわち、より少ないガードトーンを有して）送信される場合、より大きい帯域幅（４ＭＨｚ、８ＭＨｚ、および１６ＭＨｚ）を使用して送信されているシンボルについて、より厳しいフィルタリング要件があり得る。２ＭＨｚ送信のために使用されるＬＴＦ８０６ｂを複製することは、そのＬＴＦが５２個の非ゼロのトーンを使用し、したがって同じガードトーン問題が残るので、これらの問題に適切に対処しないことがある。したがって、２、４、および８ＭＨｚの送信のために、最適化されたＬＴＦ８０６ｂおよびＳＩＧ８０８ｂが与えられ得る。一態様では、それらのフィールドは、ＩＥＥＥ８０２．１１ａｃパケットのために使用される２０、４０、および８０ＭＨｚのＬＴＦシーケンスを再利用することが可能であるように選定される。
【０１００】
したがって、一実装形態では、図８Ｂおよび図８Ｃに示す２ＭＨｚパケットについて、ＳＩＧフィールド８０８ｂおよび８０８ｃは、パケット８００ｂおよび８００ｃのフィールドの残部とは異なるトーン割振りを使用して送信され得る。たとえば、ＳＩＧフィールド８０８ｂおよび８０８ｃは、５２個のデータトーンではなく４８個のデータトーンを使用して送信され得る。これは、８０２．１１ａトーン割振りのＬ−ＳＩＧのために使用されるトーン割振りに対応し得る。このＳＩＧフィールド８０８ｂおよび８０８ｃは、次いで、２ＭＨｚ上での送信のために各２ＭＨｚセグメントについて複製され得る。別の実装形態では、ＳＴＦ８０４ｂおよび８０４ｃ、ＬＴＦ８０６ｂおよび８０６ｃ、ならびにＳＩＧフィールド８０８ｂおよび８０８ｃは、パケットのフィールドの残部とは異なるトーン割振りを使用して送信のために生成され得る。たとえば、ＳＴＦ８０４ｂおよび８０４ｃ、ＬＴＦ８０６ｂおよび８０６ｃ、ならびにＳＩＧフィールド８０８ｂおよび８０８ｃは、データのために割り振られた４８個のトーンを使用して送信のために生成され得る。
【０１０１】
上記で説明したように、２ＭＨｚモードのためのＳＩＧフィールド８０８ｂおよび８０８ｃは、２つのシンボルを使用して、最高５２ビットのデータを送信する。ＳＩＧフィールド８０８ｂおよび８０８ｃへのエントリは、以下の表２に示すエントリに対応し得る。影のつけられていない最初の２６ビットは第１のシンボルに対応し得、影のつけられた最後の２６ビットは第２のシンボルに対応し得る。下記の表には５２ビットのデータが示されているが、上記で説明したように、いくつかの実装形態では、ＳＩＧフィールド８０８ｂおよび８０８ｃは４８個のデータトーンを使用して送られ得、したがってＳＩＧフィールドは４８ビットに対応し得ることを諒解されたい。対応する一実装形態では、以下の表２に示す予約済みビットの数は、４８ビットが送信または受信されるように、低減され得る。  
【表２】
2015507880.tif 000004
【０１０２】
図９に、データユニット９００の一例を示す。データユニット９００は、図２のワイヤレスデバイス２０２とともに使用するためのＰＰＤＵを備え得る。データユニット９００は、レガシーデバイス、あるいはレガシー規格またはそのダウンクロックバージョンを実装するデバイスによって使用され得る。
【０１０３】
データユニット９００はプリアンブル９１０を含む。図９では、プリアンブル９１０は、ＳＴＦ９１２と、レガシーＬＴＦ（Ｌ−ＬＴＦ）９１４と、レガシーＳＩＧ（Ｌ−ＳＩＧ）フィールド９１６とを含むレガシープリアンブルとして示されている。ＳＴＦ９１２は、利得制御シーケンスを含み、受信増幅器４０１（図４）の利得を調整するために、自動利得制御を実行するために受信機４１２（図４）によって使用され得る。さらに、ＳＴＦ９１２は、周波数オフセット推定とタイミング推定とを実行するために使用され得る。Ｌ−ＬＴＦ９１４は、チャネル推定シーケンスを含み、データユニット９００が受信されたチャネルの推定値を形成するために、チャネル推定器および等化器４０５（図４）によって使用され得る。さらに、Ｌ−ＬＴＦ９１４は、信号対雑音推定と、精密な周波数オフセット推定およびタイミング推定とのために使用され得る。Ｌ−ＳＩＧフィールド９１６は、データユニット９００の長さをバイトで示し得る。
【０１０４】
データユニット９００中のレガシープリアンブル９１０の後に、複数のデータシンボル９２２が続く。図９でわかるように、１つまたは複数の追加のＬ−ＬＴＦ９１４がいくつかのデータシンボル９２２間に配置される。図示の態様では、Ｌ−ＬＴＦ９１４がｎ個のデータシンボル９２２ごとに挿入され、ここで、ｎは整数である。たとえば、ＤＳＰ３２０（図３）は、データユニット９００の生成中に、ｎ個のデータシンボル９２２ごとにＬ−ＬＴＦ９１４を挿入し得る。データシンボルの数ｎは、たとえば、ｎが通信規格において定義されるので、および／またはワイヤレスデバイス２０２ａが製造時にｎでプログラムされるので、ワイヤレスデバイス２０２ａ（図３）によって知られていることがある。いくつかの態様では、ｎは、メモリ２０６（図２）に記憶され、追加のＬ−ＬＴＦ９１４を挿入するときには、ワイヤレスデバイス２０２ａのＤＳＰ３２０によって利用またはルックアップされ得る。いくつかの態様では、ｎは約２５である。いくつかの態様では、ｎは、Ｌ−ＬＴＦ９１４が約１．６ミリ秒ごとに繰り返されるように選択される。
【０１０５】
データユニット９００がワイヤレスデバイス２０２ｂ（図４）において受信されるときには、トレーニングシンボル９１４を含むデータユニット９００のサイズがＬ−ＳＩＧフィールド９１６に基づいて計算され得、ＳＴＦ９１２が、受信増幅器４０１（図４）の利得を調整するために受信機４１２（図４）によって使用される。さらに、最初のＬ−ＬＴＦ９１４ａが、データユニット９００が受信されたチャネルの第１の推定値を形成するために、チャネル推定器および等化器４０５（図４）によって使用され得る。第１のチャネル推定値は、プリアンブル９１０に後続するが、Ｌ−ＬＴＦ９１４ｂに先行する、複数のデータシンボル９２２を復号するためにＤＳＰ４２０（図４）によって使用され得る。たとえば、第１のチャネル推定値は、データシンボル９１４ａおよび９１４ｂ、ならびにＬ−ＬＴＦ９１４ｂに先行する他のデータシンボルを復号するために使用され得る。
【０１０６】
Ｌ−ＬＴＦ９１４ａとＬ−ＬＴＦ９１４ｂとの間のｎ個のデータシンボルが復号された後、チャネル推定器および等化器４０５（図４）が、Ｌ−ＬＴＦ９１４ｂを使用して第２のチャネル推定値を形成するために使用され得る。第２のチャネル推定値は、Ｌ−ＬＴＦ９１４ｂに後続するが、Ｌ−ＬＴＦ９１４ｃに先行する、複数のシンボル９２２、たとえばデータシンボル９２２ｃ、９２２ｄを復号するためにＤＳＰ４２０（図４）によって使用され得る。ｎ個のデータシンボルの後に新しいまたは更新されたチャネル推定値を形成し、新しいまたは更新されたチャネル推定値を使用して後続のデータシンボルを復号するこのプロセスは、データシンボル９２２のすべてが復号されるまで繰り返され得る。このようにして、データユニット９００が長く、チャネルの状態が変化しているときでも、データシンボル９２２のすべてが適切に復号され得る。
【０１０７】
ｎの値は、たとえば、ｎが通信規格において定義されているので、および／またはワイヤレスデバイス２０２ｂが製造時にｎでプログラムされるので、ワイヤレスデバイス２０２ｂ（図４）において既知であり得る。いくつかの態様では、ｎは、ワイヤレスデバイス２０２ｂが最初にＡＰ１０４（図１）に登録したかまたはＢＳＡ１０２（図１）に入ったとき、ワイヤレスデバイス２０２ｂに通信され得る。いくつかの態様では、ｎは、メモリ２０６（図２）に記憶され、データユニット９００を受信したとき、ワイヤレスデバイス２０２ｂ（図４）のＤＳＰ４２０（図４）によって利用またはルックアップされ得る。ワイヤレスデバイス２０２ｂは、既知のｎと、Ｌ−ＳＩＧフィールド９１６から計算されたデータユニット９００のサイズとを使用して、Ｌ−ＬＴＦ９１４のロケーションを計算し得る。
【０１０８】
いくつかの態様では、データシンボル９２２のうちの１つまたは複数は、たとえば、メモリ２０６（図２）にまたはＤＳＰ２２０（図２）のＲＡＭに記憶され得、記憶されたデータシンボル９２２は、後続のＬ−ＬＴＦ９１４から計算されたチャネル推定値を使用して、ＤＳＰ２２０によって復号され得る。いくつかの態様では、データシンボルに最も近いＬ−ＬＴＦ９１４に基づくチャネル推定値が、データシンボルを復号するためにＤＳＰ２２０によって使用される。たとえば、ｎが２に等しいとき、データシンボル９２２ｂは、Ｌ−ＬＴＦ９１４ａよりもＬ−ＬＴＦ９１４ｂの近くに位置することになる。この状況では、Ｌ−ＬＴＦ９１４ｂから形成されたチャネル推定値が、データシンボル９２２ｂを復号するために使用されるであろう。
【０１０９】
いくつかの態様では、データシンボルは、ＤＳＰ２２０（図２）によって２回以上復号され得る。たとえば、Ｌ−ＬＴＦ９１４ａから形成されたチャネル推定値を用いてデータシンボル９２２ｂを復号した後、データシンボル９２２ｂは、Ｌ−ＬＴＦ９１４ｂから計算されたチャネル推定値を使用して再び復号され得る。いくつかの態様では、あらゆるデータシンボル９２２が２回復号され、すなわち、先行するＬ−ＬＴＦ９１４を使用して１回、および後続のＬ−ＬＴＦ９１４を使用して１回復号される。２回の復号の結果は、データユニット９００の終端において巡回冗長検査（ＣＲＣ）を使用して検査され得る。他の態様では、データシンボルは、それが、先行するＬ−ＬＴＦ９１４よりも次のＬ−ＬＴＦ９１４に近い場合のみ、２回復号される。他の態様では、データシンボルは、次のＬ−ＬＴＦ９１４に基づくチャネル推定値と先行するＬ−ＬＴＦ９１４に基づくチャネル推定値と間の差が、あるしきい値よりも大きい場合のみ、２回復号される。
【０１１０】
いくつかの態様では、ＤＳＰ２２０（図２）は、データシンボルに先行するＬ−ＬＴＦ９１４とデータシンボルに後続する次のＬ−ＬＴＦ９１４とを使用して、あるデータシンボルに固有のチャネル推定値を計算するように構成され得る。たとえば、ＤＳＰ２２０は、次のＬ−ＬＴＦ９１４に基づくチャネル推定値と先行するＬ−ＬＴＦ９１４に基づくチャネル推定値との間にあるデータシンボルについてのチャネル推定値を計算するために補間を使用し得る。
【０１１１】
いくつかの態様では、Ｌ−ＬＴＦ９１４ａ〜９１４ｅの各々は同じである。他の態様では、Ｌ−ＬＴＦ９１４ａ〜９１４ｅのうちの１つまたは複数は、それらのＬ−ＬＴＦのうちの別のものとは異なる。いくつかの態様では、データシンボル９２２間に配置されたＬ−ＬＴＦ９１４ｂ〜９１４ｅは同じであるが、最初のＬ−ＬＴＦ９１４ａとは異なる。
【０１１２】
図９に示すデータユニット９００は、システム１００（図１）においておよび／またはワイヤレスデバイス２０２（図２）とともに使用され得るデータユニットの一例にすぎない。いくつかの態様では、より多いまたはより少ない数のＬ−ＬＴＦ９１４および／またはデータシンボル９２２がデータユニット９００中に含まれ得る。さらに、図９に示されていない１つまたは複数のシンボルまたはフィールドがデータユニット９００中に含まれ得、図示されたフィールドまたはシンボルのうちの１つまたは複数が省略され得る。
【０１１３】
図１０に、データユニット１０００の一例を示す。データユニット１０００は、図２のワイヤレスデバイス２０２とともに使用するＰＰＤＵを備え得る。データユニット１０００は、超高スループット（ＶＨＴ：very high throughput）通信をサポートするデバイスによって使用され得る。一態様では、データユニット１０００は、８０２．１１ａｃ規格のダウンクロックバージョンを実装するデバイスによって使用される。
【０１１４】
データユニット１０００は、データユニット１０００のプリアンブル中に、図９に示したレガシープリアンブル９１０、ならびにＶＨＴ  ＳＩＧＡフィールド１００２、ＶＨＴ  ＳＴＦ１００４、および１つまたは複数のＶＨＴ  ＬＴＦ１００６ａ、１００６ｂを含む。ＶＨＴ  ＳＴＦ１００４は、利得制御シーケンスを含み、上記で説明したように、受信増幅器４０１（図４）の利得を調整するために、自動利得制御を実行するために受信機４１２（図４）によって使用され得る。さらに、ＶＨＴ  ＳＴＦ１００４は、周波数オフセット推定とタイミング推定とを実行するために使用され得る。ＶＨＴ  ＬＴＦ１００６ａ、１００６ｂは、チャネル推定シーケンスを含み、データユニット１０００が受信されたチャネルの推定値を形成するために、チャネル推定器および等化器４０５（図４）によって使用され得る。さらに、ＶＨＴ  ＬＴＦ１００６ａ、１００６ｂの各々は、信号対雑音推定と、精密な周波数オフセット推定およびタイミング推定とのために使用され得る。ＶＨＴ  ＳＴＦ１００４とＶＨＴ  ＳＩＧＢフィールド１０１２との間でデータユニット１０００中に含まれるＶＨＴ  ＬＴＦの数は、データユニット１０００の通信のために使用されている空間ストリームの数に依存し得る。
【０１１５】
いくつかの態様では、プリアンブル９１０中に含まれるＬ−ＳＩＧフィールド９１６は、データシンボル間に挿入されたすべてのトレーニングシンボルを含むデータユニット１０００の長さを示す。いくつかの態様では、Ｌ−ＳＩＧフィールド９１６は、データユニットがＶＨＴフィールド１００２〜１０１２を備えることを示す情報を含む。そのような態様では、プリアンブル９１０中に含まれるＳＴＦ９１２およびＬ−ＬＴＦ９１４は無視され得る。
【０１１６】
データユニット１０００のプリアンブル中のＶＨＴ  ＬＴＦ１００６ａ、１００６ｂの後に、ＶＨＴ  ＳＩＧＢフィールド１０１２が続く。プリアンブルの後に、複数のデータシンボル１０２２がある。図１０でわかるように、１つまたは複数の追加のＶＨＴ  ＬＴＦ１００６がいくつかのデータシンボル１０２２間に配置される。図示の態様では、１つまたは複数のＶＨＴ  ＬＴＦ１００６のセットがｎ個のデータシンボル１０２２ごとに挿入され、ここで、ｎは整数である。ＶＨＴ  ＬＴＦ１００６ａ、１００６ｂの場合と同様に、各セット中のＶＨＴ  ＬＴＦの数は、データユニット１０００の通信のために使用されている空間ストリームの数に依存し得る。
【０１１７】
ＤＳＰ３２０（図３）は、データユニット１０００の生成中に、ｎ個のデータシンボル１０２２ごとにＶＨＴ  ＬＴＦ１００６を挿入し得る。いくつかの態様では、データシンボルの数ｎは、たとえば、ｎが通信規格において定義されているので、および／またはワイヤレスデバイス２０２ａが製造時にｎでプログラムされるので、ワイヤレスデバイス２０２ａ（図３）によって知られていることがある。いくつかの態様では、ｎは、メモリ２０６（図２）に記憶され、追加のＶＨＴ  ＬＴＦ１００６を挿入するとき、ワイヤレスデバイス２０２ａのＤＳＰ３２０によって利用またはルックアップされ得る。
【０１１８】
いくつかの態様では、ワイヤレスデバイス２０２ａ（図３）は、任意の数のファクタに基づいてｎを決定し得る。一態様では、ｎは、どのタイプの変調コーディング方式（ＭＣＳ）が、データユニット１０００を通信するために使用されるかに応じて変化し得る。たとえば、４位相シフトキーイング（ＱＰＳＫ）が使用されるとき、ＶＨＴ  ＬＴＦは約４ミリ秒ごとに繰り返され得る。一方、より高いレートのＭＣＳが使用されるとき、ＶＨＴ  ＬＴＦ１００６は約１ミリ秒ごとに繰り返され得る。ＤＳＰ３２０（図３）は、次いで、これらのタイミング制約に基づいてｎを計算し得る。
【０１１９】
いくつかの態様では、ＤＳＰ２２０（図２）は、データユニット１０００を通信するために使用される空間ストリームの数に基づいてｎを決定し得る。いくつかの態様では、ｎは、ワイヤレスデバイス２０２ａ（図３）または２０２ｂ（図４）によって使用されるシンボル持続時間の関数および／またはダウンクロッキング倍率であり得る。そのような態様では、ＤＳＰ２２０は、ルックアップテーブルを使用して、あるいは等式（equation）または公式（formula）を使用してｎを計算することによって、ｎを決定し得る。
【０１２０】
いくつかの態様では、ｎは、ＶＨＴ  ＬＴＦ１００６間の既知のまたは規格化されたバイト数に基づき得る。ＤＳＰ２２０（図２）は、ｎを決定するために、既知のまたは規格化された数のバイトを含んでいるデータシンボル６２２の数を決定し得る。そのような態様では、ＤＳＰ２２０は、ルックアップテーブルを使用して、あるいは等式または公式を使用してｎを計算することによって、ｎを決定し得る。
【０１２１】
いくつかの態様では、ｎの値は、ネットワーク状態に基づいて変化し得る。たとえば、ＤＳＰ２２０（図２）は、ネットワークの展開またはアーキテクチャに基づいてｎを決定し得る。別の例として、ＤＳＰ２２０は、ワイヤレスデバイス２０２ａ（図３）および／またはワイヤレスデバイス２０２ｂ（図４）の移動に基づいてｎを決定し得る。さらなる例として、ＤＳＰ２２０は、データユニット１０００が通信されているチャネルの信号対雑音比（ＳＮＲ）に基づいてｎを決定し得る。
【０１２２】
ｎの値を決定するための情報が、ＤＳＰ２２０（図２）によって、データユニット１０００のプリアンブルに、たとえば、ＶＨＴ  ＳＩＧＡフィールド１００２に挿入され得る。いくつかの態様では、情報は、ＶＨＴ  ＳＩＧＡフィールド１００２中の１つまたは複数の予約済みビット中に含まれる。たとえば、情報は、ＶＨＴ  ＳＩＧＡフィールド１００２のＶＨＴ  ＳＩＧＡ１部分のＢ２（たとえば、Ｂｉｔ２）および／またはＢ２３〜２４において、および／またはＶＨＴ  ＳＩＧＡフィールド１００２のＶＨＴ  ＳＩＧＡ２部分のＢ９において含まれ得る。いくつかの態様では、ｎの値がＶＨＴ  ＳＩＧＡフィールド１００２中に含まれる。他の態様では、ワイヤレスデバイス２０２ｂ（図４）がｎを計算するために使用し得る情報が、ＳＩＧＡフィールド１００２中に含まれる。一態様では、ワイヤレスデバイス２０２ａ（図３）のＤＳＰ３２０（図３）は、配置されたＬ−ＬＴＦ１００６のいくつのセットがデータユニット１０００中にあるかを示すインジケータをＳＩＧＡフィールド１００２中に含める。ワイヤレスデバイス２０２ｂのＤＳＰ４２０（図４）は、ｎを決定するために、このインジケータと、Ｌ−ＳＩＧフィールド９１６から決定されたデータユニット１０００の長さとを使用し得る。
【０１２３】
データユニット１０００がワイヤレスデバイス２０２ｂ（図４）において受信されたとき、データユニット１０００の長さがＬ−ＳＩＧフィールド９１６に基づいて決定され得、ＶＨＴ  ＳＴＦ１００４が、受信増幅器４０１（図４）の利得を調整するために受信機４１２（図４）によって使用される。さらに、ＶＨＴ  ＬＴＦ１００６ａ、１００６ｂの最初のセットが、データユニット１０００が受信されたチャネルの第１の推定値を形成するために、チャネル推定器および等化器４０５（図４）によって使用される。第１のチャネル推定値は、プリアンブルに後続するが、ＶＨＴ  ＬＴＦ１００６ｃ、１００６ｄのセットに先行する、複数のデータシンボル１０２２を復号するためにＤＳＰ４２０（図４）によって使用され得る。たとえば、第１のチャネル推定値は、データシンボル１０２２ａ、ならびにＶＨＴ  ＬＴＦ１００６ｃに先行する他のデータシンボルを復号するために使用され得る。
【０１２４】
ＶＨＴ  ＬＴＦ１００６ｂとＶＨＴ  ＬＴＦ１００６ｃとの間のｎ個のデータシンボルが復号された後、チャネル推定器および等化器４０５（図４）が、ＶＨＴ  ＬＴＦ１００６ｃ、１００６ｄのセットを使用して第２のチャネル推定値を形成するために使用され得る。第２のチャネル推定値は、ＶＨＴ  ＬＴＦ１００６ｄに後続する複数のデータシンボル１０２２を復号するためにＤＳＰ４２０（図４）によって使用され得る。図９に関して、Ｌ−ＬＴＦ９１４から形成されたチャネル推定値が、データシンボル９２２を復号するためにどのように使用されるかについて説明したことと同様に、ＶＨＴ  ＬＴＦ１００６から形成されたチャネル推定値は、ＶＨＴ  ＬＴＦ１００６に後続するデータシンボル１０２２を復号するためにのみ使用され得るか、またはＶＨＴ  ＬＴＦ１００６に先行するデータシンボルとそれに後続するデータシンボルの両方を復号するために使用され得る。いくつかの態様では、先行するＶＨＴ  ＬＴＦ１００６から形成されたチャネル推定値と、後続のＶＨＴ  ＬＴＦ１００６から形成されたチャネル推定値との間の補間が、データシンボル１０２２を復号するために使用される。
【０１２５】
ｎ個のデータシンボルの後に新しいまたは更新されたチャネル推定値を形成し、新しいまたは更新されたチャネル推定値を使用して後続のデータシンボルを復号するプロセスは、上記で説明したように、データシンボル１０２２のすべてが復号されるまで繰り返され得る。このようにして、データユニット１０００が長く、チャネルの状態が変化しているときでも、データシンボル１０２２のすべてが適切に復号され得る。
【０１２６】
上記で説明したように、ｎの値は、ワイヤレスデバイス２０２ｂ（図４）において既知であり得るか、あるいは、ワイヤレスデバイス２０２ｂが最初にＡＰ１０４（図１）に登録したかまたはＢＳＡ１０２（図１）に入ったとき、ワイヤレスデバイス２０２ｂに通信され得る。たとえば、ｎは、メモリ２０６（図２）に記憶され、データユニット１０００を受信したとき、ワイヤレスデバイス２０２ｂのＤＳＰ４２０（図４）によって利用またはルックアップされ得る。いくつかの態様では、ＤＳＰ４２０（図４）は、ＶＨＴ  ＳＩＧＡフィールド１００２中に含まれる情報に基づいてｎの値を決定し得る。たとえば、データを送信するために使用されるＭＣＳは、ワイヤレスデバイス２０２ａ（図３）によってＶＨＴ  ＳＩＧＡフィールド１００２中に含められ得、ワイヤレスデバイス２０２ｂは、ＶＨＴ  ＳＩＧＡフィールド１００２によって示されるＭＣＳに基づいてｎを決定し得る。そのような態様では、使用され得る各潜在的ＭＣＳは、ｎの規格化された値に関連し得る。したがって、ワイヤレスデバイス２０２ｂは、たとえばメモリ２０６に記憶され得る、公式またはルックアップテーブルを使用してｎを決定し得る。いくつかの態様では、ワイヤレスデバイス２０２ｂは、既知のｎと、Ｌ−ＳＩＧフィールド９１６からのデータユニット１０００のサイズとを使用して、またはＶＨＴ  ＳＩＧＡフィールド１００２中で示される配置されたＶＨＴ  ＬＴＦ１００６の数と、サイズとから、ＶＨＴ  ＬＴＦ１００６のロケーションを計算し得る。いくつかの態様では、ＤＳＰ２２０（図２）は、データシンボル１０２２が受信された空間ストリームの数に基づいてｎを決定し得るか、またはデータユニット１０００中のデータバイトの数に基づいてｎを決定し得る。いくつかの態様では、データバイトの数はＬ−ＳＩＧフィールド９１６中で示される。
【０１２７】
いくつかの態様では、ＶＨＴ  ＬＴＦ１００６ａ〜１００６ｄの各々は同じである。他の態様では、ＶＨＴ  ＬＴＦ１００６ａ〜１００６ｄのうちの１つまたは複数は、それらのＶＨＴ  ＬＴＦのうちの別のものとは異なる。いくつかの態様では、データシンボル１０２２間に配置されたＶＨＴ  ＬＴＦ１００６ｃおよび１００６ｄは同じであるが、最初のＶＨＴ  ＬＴＦ１００６ａ、１００６ｂとは異なる。
【０１２８】
図１１に、データユニット１１００の一例を示す。データユニット１１００は、図２のワイヤレスデバイス２０２とともに使用するＰＰＤＵを備え得る。一態様では、データユニット１１００は、８０２．１１ａｃ規格のダウンクロックバージョンを実装するデバイスによって使用される。
【０１２９】
データユニット１１００は、ＶＨＴ  ＬＴＦ１００６がｎ個のデータシンボル１０２２ごとに挿入される代わりに、ＶＨＴ  ＳＴＦ１１０２がｎ個のデータシンボル１０２２ごとに挿入されることを除いて、図１０のデータユニット１０００と同様に構成される。ｎの値は、上記で説明したように、既知であり得るかまたは変化し得る。
【０１３０】
データユニット１１００を受信すると、ワイヤレスデバイス２０２ｂ（図４）は、ＶＨＴ  ＳＴＦ１００４、１１０２の各々の受信の後に、受信増幅器４０１（図４）の利得を調整するために自動利得制御を実行し得る。たとえば、データユニット１１００がワイヤレスデバイス２０２ｂにおいて受信されたとき、増幅器４０１の利得は最初のＶＨＴ  ＳＴＦ１００４に従って設定され得る。増幅器４０１は、次いで、復号のために、データシンボル１０２２ａ、ならびにＶＨＴ  ＬＴＦ１１０２ａに先行する他のデータシンボルを受信するために使用される。ＶＨＴ  ＳＴＦ１００４とＶＨＴ  ＳＴＦ１１０２ａとの間のｎ個のデータシンボルが復号された後、受信機４１２（図４）は、自動利得制御を使用して、ＶＨＴ  ＳＴＦ１１０２ａに基づいて増幅器４０１の利得を調整し得る。増幅器４０１は、次いで、復号のために、ＶＨＴ  ＳＴＦ１１０２ａに後続する複数のデータシンボル１０２２を受信するために使用され得る。
【０１３１】
ｎ個のデータシンボルの後に増幅器４０１（図４）の利得を調整し、その後、増幅器４０１を使用して後続のデータシンボルを受信するプロセスは、上記で説明したように、データシンボル１０２２のすべてが復号されるまで繰り返され得る。このようにして、データユニット１１００が長く、チャネルの状態が変化しているときでも、データシンボル１０２２のすべてが適切に復号され得る。ワイヤレスデバイス２０２ｂ（図４）は、図１０に関して上記で説明した手段またはプロセスのうちのいずれかを使用してｎの値を決定し得る。
【０１３２】
いくつかの態様では、ＶＨＴ  ＳＴＦ１００４、１１０２の各々は同じである。他の態様では、ＶＨＴ  ＳＴＦ１００４、１１０２のうちの１つまたは複数は、それらのＶＨＴ  ＳＴＦのうちの別のものとは異なる。いくつかの態様では、データシンボル１０２２間に配置されたＶＨＴ  ＳＴＦ１１０２は同じであるが、最初のＶＨＴ  ＳＴＦ１００４とは異なる。一態様では、ＶＨＴ  ＳＴＦ１００４は２つのシンボル中で送信され、ＶＨＴ  ＳＴＦ１１０２は１つのシンボル中で送信される。
【０１３３】
いくつかの態様では、図９のデータユニット９００中の配置されたＬ−ＬＴＦ９１４は、データユニット１１００中で配置されたＶＨＴ  ＬＴＦ１００６のセットがＶＨＴ  ＳＴＦ１１０２によって置き換えられる方法と同様に、ＳＴＦによって置き換えられ得る。したがって、データユニット９００中のｎ個のデータシンボル９２２ごとにＳＴＦが繰り返され得、増幅器４０１（図４）の利得は、配置されたＳＴＦを使用して調整され得る。
【０１３４】
図１２に、データユニット１２００の一例を示す。データユニット１２００は、図２のワイヤレスデバイス２０２とともに使用するＰＰＤＵを備え得る。一態様では、データユニット１２００は、８０２．１１ａｃ規格のダウンクロックバージョンを実装するデバイスによって使用される。
【０１３５】
データユニットは、ＶＨＴ  ＳＴＦ１１０２が、配置されたＶＨＴ  ＬＴＦ１００６の各セットに隣接して配設されることを除いて、図１０のデータユニット１０００と同様に構成される。図示の実施形態では、ＶＨＴ  ＳＴＦ１１０２は、ＶＨＴ  ＬＴＦ１００６の配置されたセットの各々の直前にくる。ＶＨＴ  ＳＴＦ１１０２とＶＨＴ  ＬＴＦ１００６のセットとの各ペアリングがｎ個のデータシンボル１０２２ごとに繰り返される。ｎの値は、上記で説明したように、既知であり得るかまたは変化し得る。
【０１３６】
上記で説明したように、ワイヤレスデバイス２０２ｂ（図４）は、ＶＨＴ  ＳＴＦ１００４、１１０２の各々の受信の後に、受信増幅器４０１（図４）の利得を調整するために自動利得制御を実行し得る。さらに、同じく上記で説明したように、ワイヤレスデバイス２０２ｂは、ＶＨＴ  ＬＴＦ１００６の各セットの受信の後に、新しいまたは更新されたチャネル推定値を形成し得る。したがって、データシンボル１０２２ａは、増幅器４０１のための第１の利得を使用して受信され、第１のチャネル推定値を使用してＤＳＰ４２０（図４）によって復号され得、シンボル１０２２ｂは、増幅器４０１のための第２の利得を使用して受信され、第２のチャネル推定値を使用してＤＳＰ４２０によって復号され得る。第１の利得はＶＨＴ  ＳＴＦ１００４に基づき得、第１のチャネル推定値はＶＨＴ  ＬＴＦ１００６ａ、１００６ｂに基づき得、第２の利得はＶＨＴ  ＳＴＦ１１０２ａに基づき得、第２のチャネル推定値はＶＨＴ  ＬＴＦ１００６ｃ、１００６ｄに基づき得る。
【０１３７】
いくつかの態様では、シンボル１０２２ａは、ＶＨＴ  ＬＴＦ１００６ｃまたは１００６ｄから形成されたチャネル推定値に少なくとも部分的に基づいて復号され得る。いくつかの態様では、ＶＨＴ  ＬＴＦ１００６から形成されたチャネル推定値は、ＶＨＴ  ＬＴＦ１００６に後続するデータシンボル１０２２を復号するためにのみ使用され得るか、またはＶＨＴ  ＬＴＦ１００６に先行するデータシンボルとそれに後続するデータシンボルの両方を復号するために使用され得る。いくつかの態様では、先行するＶＨＴ  ＬＴＦ１００６から形成されたチャネル推定値と、後続のＶＨＴ  ＬＴＦ１００６から形成されたチャネル推定値との間の補間が、データシンボル１０２２を復号するために使用される。
【０１３８】
ｎ個のデータシンボルの後に新しいまたは更新されたチャネル推定値を形成し、増幅器４０１（図４）の利得を調整することと、調整された利得を使用して後続のデータシンボルを受信することと、新しいまたは更新されたチャネル推定値を使用して後続のデータシンボルを復号することとを行うプロセスは、上記で説明したように、データシンボル１０２２のすべてが復号されるまで繰り返され得る。このようにして、データユニット１２００が長く、チャネルの状態が変化しているときでも、データシンボル１０２２のすべてが適切に復号され得る。
【０１３９】
図１３に、データユニット１３００の一例を示す。データユニット１３００は、図２のワイヤレスデバイス２０２とともに使用するＰＰＤＵを備え得る。一態様では、データユニット１３００は、８０２．１１ａｃ規格のダウンクロックバージョンを実装するデバイスによって使用される。
【０１４０】
データユニット１３００は、ｎ個のデータシンボルごとにＶＨＴ  ＳＴＦ１１０２を挿入する代わりに、ＶＨＴ  ＳＴＦ１１０２がｍ個のデータシンボルごとに挿入されることを除いて、図１１のデータユニット１１００と同様に構成される。図示の実施形態では、ｍはｎの整数倍である。したがって、ＶＨＴ  ＬＴＦ１００６のｍ／ｎセットごとに、ＶＨＴ  ＳＴＦ１１０２が、ＶＨＴ  ＬＴＦ１００６のセットに隣接してデータユニット１３００中に挿入されることになる。図示の態様では、各ＶＨＴ  ＳＴＦ１１０２はＶＨＴ  ＬＴＦ１００６のセットの直前にくる。
【０１４１】
いくつかの態様では、ｎは、代わりにｍの整数倍であり得る。したがって、複数のＶＨＴ  ＳＴＦ１１０２が、ＶＨＴ  ＬＴＦ１００６のセットが挿入されるより前にデータユニット１３００中で繰り返され得る。上記で説明したように、新しいまたは更新されたチャネル推定値が、ＶＨＴ  ＬＴＦ１００６のセットを使用してｎ個のデータシンボル１０２２ごとに形成され得、データシンボル１０２２が、新しいまたは更新されたチャネル推定値を使用して復号され得る。同様に、増幅器４０１（図４）の利得がｍ個のデータシンボルごとに調整され得、後続のデータシンボル１０２２が、調整された利得を使用して受信され得る。
【０１４２】
ｍの値は、ｎが既知または所定であり得る方法のうちのいずれかで既知または所定であり得る。同様に、ｍの値は、たとえば、ｎが変化し得る方法のうちのいずれかで変化し得る。ｍの値は、ｎの値が決定される方法のうちのいずれかと同様にワイヤレスデバイス２０２ａ（図３）によって決定され得、ｍの値は、ｎが搬送または決定される方法のうちのいずれかで、ワイヤレスデバイス２０２ｂ（図４）に搬送され、および／またはワイヤレスデバイス２０２ｂによって決定され得る。たとえば、ｍの値はＶＨＴ  ＳＩＧＡフィールド１００２中で示され得、またはｍを計算するための情報がＶＨＴ  ＳＩＧＡフィールド１００２中に含まれ得る。いくつかの態様では、ＶＨＴ  ＳＴＦ１１０２が配置されるかどうか、ＶＨＴ  ＬＴＦ１００６が配置されるかどうか、またはＶＨＴ  ＳＴＦ１１０２とＶＨＴ  ＬＴＦ１００６の両方が配置されるかどうかを示すインジケータがＶＨＴ  ＳＩＧＡフィールド１００２中に含まれる。したがって、データユニット中のデータシンボル１０２２間に配置されるトレーニングフィールドのタイプがＶＨＴ  ＳＩＧＡフィールド１００２中で示され得る。
【０１４３】
いくつかの態様では、それぞれ図１２および図１３のデータユニット１２００または１３００中にＶＨＴ  ＳＴＦ１１０２が配置される方法と同様に、図９のデータユニット９００中にＳＴＦが配置され得る。したがって、ＳＴＦは、データユニット９００中でｎ個のデータシンボル９２２ごとに各Ｌ−ＬＴＦ９１４に隣接して繰り返され得るか、またはＳＴＦは、データユニット９００中でｍ個のデータシンボル９２２ごとに繰り返され得る。増幅器４０１（図４）の利得は、配置されたＳＴＦを使用して調整され得る。
【０１４４】
図１４に、データユニット１４００の一例を示す。データユニット１４００は、図２のワイヤレスデバイス２０２とともに使用するＰＰＤＵを備え得る。一態様では、データユニット１４００は、８０２．１１ａｃ規格のダウンクロックバージョンを実装するデバイスによって使用される。
【０１４５】
データユニット１４００は、レガシープリアンブル９１０と、ＶＨＴ  ＳＩＧＡフィールド１００２と、最初のＶＨＴ  ＳＴＦ１００４と、ＶＨＴ  ＬＴＦ１００６ａ、１００６ｂの最初のセットと、ＶＨＴ  ＳＩＧＢフィールド１０１２と、複数のデータシンボル１０２２とを含む。ＶＨＴ  ＳＴＦ１１０２および／またはＶＨＴ  ＬＴＦ１００６のセットがｎおよび／またはｍ個のシンボルごとに周期的に挿入される、上記で説明した他のデータユニットのうちのいくつかとは対照的に、ＶＨＴ  ＳＴＦ１１０２および／またはＶＨＴ  ＬＴＦ１００６のセットは、変化するかまたは不規則な間隔でデータユニット１４００に挿入され得る。
【０１４６】
たとえば、ＶＨＴ  ＳＩＧＡフィールド１００２は、次のＶＨＴ  ＳＴＦ１１０２および／またはＶＨＴ  ＬＴＦ１００６のセットがどこにあるかを指すかまたは示す、情報を含み得る。たとえば、ＶＨＴ  ＳＩＧＡフィールド１００２はｎの値を示し得る。しかしながら、次のＶＨＴ  ＳＴＦ１１０２および／またはＶＨＴ  ＬＴＦ１００６のセットに隣接して、別のＳＩＧ（Ｎ−ＳＩＧ）フィールド１４０２が挿入される。Ｎ−ＳＩＧフィールド１４０２は、次のＶＨＴ  ＳＴＦ１１０２および／またはＶＨＴ  ＬＴＦ１００６のセットがどこにあるかを指すかまたは示す、情報を含む。次のＶＨＴ  ＳＴＦ１１０２および／またはＶＨＴ  ＬＴＦ１００６のセットはｎ個のデータシンボル離れていることがあるか、または何らかの他の数ｘ個のデータシンボル離れていることがある。このようにして、任意の２つのＶＨＴ  ＳＴＦ１１０２間および／またはＶＨＴ  ＬＴＦ１００６のセット間のデータシンボルの数は変化し得る。
【０１４７】
いくつかの態様では、ワイヤレスデバイス２０２ｂ（図４）は、チャネル状態に基づいて、ＶＨＴ  ＳＴＦ１１０２間および／またはＶＨＴ  ＬＴＦ１００６のセット間の距離を変化させる。たとえば、チャネルが緩やかに変化している場合、またはチャネルのＳＮＲが低い場合、ＶＨＴ  ＳＴＦ１１０２間および／またはＶＨＴ  ＬＴＦ１００６のセット間の距離は増加され得る。しかしながら、チャネルが急速に変化しているか、またはチャネルのＳＮＲが高い場合、ＶＨＴ  ＳＴＦ１１０２間および／またはＶＨＴ  ＬＴＦ１００６のセット間の距離は減少され得る。
【０１４８】
上記で説明したように、新しいまたは更新されたチャネル推定値が、ＶＨＴ  ＬＴＦ１００６のセットを使用して形成され、データシンボル１０２２が、新しいまたは更新されたチャネル推定値を使用して復号され得る。同様に、増幅器４０１（図４）の利得がＶＨＴ  ＳＴＦ１１０２の各々の受信ごとに調整され、後続のデータシンボル１０２２が、調整された利得を使用して受信され得る。
【０１４９】
いくつかの態様では、ＶＨＴ  ＳＴＦ１１０２またはＶＨＴ  ＬＴＦ１００６の配置されたセットのいずれかがデータユニット１４００から省略され得る。したがって、いくつかの態様では、データユニット１４００は、データシンボル１０２２間に配置されたＮ−ＳＩＧフィールド１４０２およびＶＨＴ  ＳＴＦ１１０２のみを含む。他の態様では、データユニット１４００は、データシンボル１０２２間に配置されたＮ−ＳＩＧフィールド１４０２およびＶＨＴ  ＬＴＦ１００６のセットのみを含む。
【０１５０】
図１０〜図１４に示したデータユニット１０００〜１４００は、システム１００（図１）においておよび／またはワイヤレスデバイス２０２（図２）とともに使用され得るデータユニットの例にすぎない。いくつかの態様では、より多いまたはより少ない数のＳＩＧフィールド、ＶＨＴ  ＳＴＦ、ＶＨＴ  ＬＴＦ、および／またはデータシンボルがデータユニット１０００〜１４００のうちのいずれか中に含まれ得る。さらに、図１０〜図１４に示されていない１つまたは複数のシンボルまたはフィールドがデータユニット１０００〜１４００のうちのいずれか中に含まれ得、図示されたフィールドまたはシンボルのうちの１つまたは複数がデータユニット１０００〜１４００のうちのいずれかから省略され得る。
【０１５１】
図１５に、ワイヤレスデバイス２０２とともに使用するＰＰＤＵなどのデータユニットの例示的な部分１５００を示す。部分１５００は、第１のＬＴＦ１５０６ａと後続の第２のＬＴＦ１５０６ｂとを備えるミッドアンブルを含み得る。部分１５００はまた、ミッドアンブルの前の先行するデータシンボル１５２２ａと、ミッドアンブルの後の後続のデータシンボル１５２２ｂとを含み得る。第１のＬＴＦ１５０６ａおよび第２のＬＴＦ１５０６ｂは、それぞれ１つのＯＦＤＭシンボルの持続時間を有し得る。いくつかの態様では、ミッドアンブルは、本開示で説明する手法のうちの１つまたは複数を使用して、ｎ個のデータシンボルごとにデータユニットのデータ中に挿入され得る。第１のＬＴＦ１５０６ａおよび第２のＬＴＦ１５０６ｂは、たとえば、図９、図１０、図１１、および図１２に関して説明したＬＴＦ、Ｌ−ＬＴＦ、およびＶＨＴ  ＬＴＦとして機能し得、チャネル推定シーケンスを含み、機能の中でも、チャネル推定のために使用され得る。
【０１５２】
いくつかの態様では、合計４つのＬＴＦを有するように、ミッドアンブル中に２つの追加のＬＴＦ（図示せず）を含めることが有利であり得る。追加のＬＴＦはチャネル推定の精度を改善し得る。追加のＬＴＦが有益であり得る１つのシナリオは、（たとえば、データシンボルの送信コーディングが、レートハーフコーディングを用いたＢＰＳＫ変調よりも低いスペクトル効率を有し、送信機がデータユニットを連続的に送信し得、場合によっては、各データユニットの２つの繰り返しを送信し得る）１ＭＨｚ  ２×繰り返しモードであり得る。
【０１５３】
図１６に、ワイヤレスデバイス２０２とともに使用するＰＰＤＵなどのデータユニットの例示的な部分１６００を示す。データユニットの部分１６００は、たとえば、単一の空間ストリームを介した通信において使用され得る。部分１６００は、ＳＴＦ１６０４と後続のＬＴＦ１  １６０６とを備えるミッドアンブルを含み得る。部分１６００はまた、ミッドアンブルの前の先行するデータシンボル１６２２ａと、ミッドアンブルの後の後続のデータシンボル１６２２ｂとを含み得る。いくつかの態様では、ミッドアンブルは、本開示で説明する手法のうちの１つまたは複数を使用して、ｎ個のデータシンボルごとにデータユニットのデータ中に挿入され得る。いくつかの態様では、ＬＴＦ１  １６０６の後に、１つまたは複数の追加のＬＴＦが続き得る。
【０１５４】
ＳＴＦ１６０４は、たとえば、図１２に関して説明したＶＨＴ  ＳＴＦ１１０２としてまたはそれと同様に機能し得、利得制御シーケンスを含み、機能の中でも、利得設定のために使用され得る。ＬＴＦ１６０６は、たとえば、図１２に関して説明したＶＨＴ  ＬＴＦ１００６としてまたはそれらと同様に機能し得、チャネル推定シーケンスを含み、機能の中でも、チャネル推定のために使用され得る。
【０１５５】
ＳＴＦ１６０４は、１つまたは２つのＯＦＤＭシンボルの持続時間を有し、ＬＴＦ１  １６０６は、それぞれ、１つ、２つ、または４つのＯＦＤＭシンボルの持続時間を有し得る。ＳＴＦ１６０４およびＬＴＦ１  １６０６は、受信信号のロバストネス／信頼性のほうが、受信信号のオーバーヘッドを最小限に抑えることよりも優先度が高いとき、有利には、比較的より長い持続時間（たとえば、１つのＯＦＤＭシンボルではなく２つのＯＦＤＭシンボルの持続時間）を有し得る。特に、ＳＴＦ１６０４は、たとえば、受信信号が比較的弱く、利得設定のためのより多くの時間が利得設定を改善し得るとき、比較的より長い持続時間を有し得る。ＬＴＦ１  １６０６は、たとえば、チャネルに比較的雑音が多く、より良いチャネル推定と精密な周波数オフセットの再推定とがデータシンボルの処理を改善し得るとき、より長い持続時間を有し得る。さらに、繰り返しモードは、受信信号の信頼性が比較的重要であることを暗示し得るので、ＳＴＦ１６０４およびＬＴＦ１  １６０６は、１ＭＨｚ  ２×繰り返しモードで動作するとき、それぞれ２つのＯＦＤＭシンボルおよび４つのＯＦＤＭシンボルの比較的より長い持続時間を有し得る。一方、通常モードは、受信信号の信頼性がそれほど重要ではないことを暗示し得るので、ＳＴＦ１６０４およびＬＴＦ１  １６０６は、通常モードの１ＭＨｚモードまたは高帯域幅モードで動作するとき、それぞれ１つのＯＦＤＭシンボルおよび２つのＯＦＤＭシンボルの比較的より短い持続時間を有し得る。
【０１５６】
図１７に、例示的なロングトレーニングフィールド（ＬＴＦ）１７００を示す。ＬＴＦ１７００は、たとえば、図１６のＬＴＦ１  １６０６の例示的な構造を示す。ＬＴＦ１７００は、通常モードの１ＭＨｚまたはより高い帯域幅の通信において使用するのに有利であり得る。ＬＴＦ１７００は、ダブルガードインターバル（ＤＧＩ：double guard interval）１７４０（たとえば、デフォルトの２倍の持続時間を有するサイクリックプレフィックス）と、後続の第１のロングトレーニングシンボル（ＬＴＳ：long training symbol）１７３０ａと、後続の第２のＬＴＳ１７３０ｂとを含み得る。ＤＧＩは、通常のガードインターバル（ＧＩ）（たとえば、デフォルト持続時間を有するサイクリックプレフィックス）が８マイクロ秒の持続時間を有し得るとき、１６マイクロ秒の持続時間であり得る。１６マイクロ秒ＤＧＩは、それが、８マイクロ秒の通常のＧＩよりも、ＡＧＣ設定、チャネル推定、および／またはＤＣオフセット推定のためのより多くの時間を与え得るので、ＬＴＦ１７００の一部分として有利であり得る。
【０１５７】
図１８に、例示的なＬＴＦ１８００を示す。ＬＴＦ１８００は、たとえば、図１６のＬＴＦ１  １６０６の例示的な構造を示す。ＬＴＦ１８００は、通常モードの１ＭＨｚまたはより高い帯域幅の通信において使用するのに有利であり得る。ＬＴＦ１８００は、第１のＧＩ１８４２ａと、後続の第１のＬＴＳ１８３０ａと、後続の第２のＧＩ１８４２ｂと、後続の第２のＬＴＳ１８３０ｂとを含み得る。ＧＩ１８４２は、それぞれ８マイクロ秒の持続時間であり得る。
【０１５８】
図１９に、例示的なＬＴＦ１９００を示す。ＬＴＦ１９００は、たとえば、図１６のＬＴＦ１  １６０６の例示的な構造を示す。ＬＴＦ１９００は、（たとえば、データシンボルの送信コーディングが、レートハーフコーディングを用いたＢＰＳＫ変調よりも低いスペクトル効率を有する）繰り返しモード通信において使用するのに有利であり得る。ＬＴＦ１９００は、ＤＧＩ１９４０と、後続の第１のＬＴＳ１９３０ａと、後続の第２のＬＴＳ１９３０ｂと、後続の第１のＧＩ１９４２ａと、後続の第３のＬＴＳ１９３０ｃと、後続の第２のＧＩ１９４２ｂと、後続の第４のＬＴＳ１９３０ｄとを含み得る。ＧＩは、８マイクロ秒の持続時間であり得る。ＤＧＩは、１６マイクロ秒の持続時間であり得、８マイクロ秒の通常のＧＩ持続時間の２倍に等しくなり得る。１６マイクロ秒ＤＧＩは、それが、８マイクロ秒の通常のＧＩよりも、ＡＧＣ設定、チャネル推定、および／またはＤＣオフセット推定のためのより多くの時間を与え得るので、ＬＴＦ１９００の一部分として有利であり得る。
【０１５９】
図２０に、例示的なＬＴＦ２０００を示す。ＬＴＦ２０００は、たとえば、図１６のＬＴＦ１  １６０６の例示的な構造を示す。ＬＴＦ２０００は、（たとえば、データシンボルの送信コーディングが、レートハーフコーディングを用いたＢＰＳＫ変調よりも低いスペクトル効率を有する）繰り返しモード通信において使用するのに有利であり得る。ＬＴＦ２０００は、第１のＧＩ２０４２ａと、後続の第１のＬＴＳ２０３０ａと、後続の第２のＧＩ２０４２ｂと、後続の第２のＬＴＳ２０３０ｂと、後続の第３のＧＩ２０４２ｃと、後続の第３のＬＴＳ２０３０ｃと、後続の第４のＧＩ２０４２ｄと、後続の第４のＬＴＳ２０３０ｄとを含み得る。ＧＩ２０４２は、それぞれ８マイクロ秒の持続時間であり得る。
【０１６０】
図２１に、ワイヤレスデバイス２０２とともに使用するＰＰＤＵなどのデータユニットの例示的な部分２１００を示す。データユニットの部分２１００は、複数の空間ストリームを介した通信において、および、有利には、通常モードの１ＭＨｚまたはより高い帯域幅の通信において使用され得る。部分２１００は、ＳＴＦ２１０４と後続の１つまたは複数のＬＴＦ（ＬＴＦ１、ＬＴＦ２、．．．、ＬＴＦＮ）２１０６とを備えるミッドアンブルを含み得る。いくつかの態様では、ＮまたはＬＴＦ２１０６の数は、通信において使用される空間ストリームの数に等しくなり得る。ＳＴＦ２１０４およびＬＴＦ２１０６の各々は１つのＯＦＤＭシンボルの持続時間を有し得る。
【０１６１】
部分２１００はまた、ミッドアンブルの前の先行するデータシンボル２１２２ａと、ミッドアンブルの後の後続のデータシンボル２１２２ｂとを含み得る。いくつかの態様では、ミッドアンブルは、本開示で説明する手法のうちの１つまたは複数を使用して、ｎ個のデータシンボルごとにデータユニットのデータ中に挿入され得る。
【０１６２】
さらに、ＳＴＦ２１０４は、たとえば、図１２で説明したＶＨＴ  ＳＴＦ１１０２としてまたはそれと同様に機能し得、利得制御シーケンスを含み、機能の中でも、利得設定のために使用され得る。１つまたは複数のＬＴＦ２１０６は、たとえば、図１２で説明したＶＨＴ  ＬＴＦ１００６としてまたはそれらと同様に機能し得、１つまたは複数のチャネル推定シーケンスを含み、機能の中でも、チャネル推定のために使用され得る。
【０１６３】
図２２に、例示的なＬＴＦ２２００を示す。ＬＴＦ２２００は、たとえば、図２１のＬＴＦ１  ２１０６ａまたはＬＴＦＮ  ２１０６ｎのうちの１つの例示的な構造を示す。ＬＴＦ２２００は、ＧＩ２２４２と後続のＬＴＳ２２３０とを含み得る。ＧＩは、８マイクロ秒の持続時間であり得る。
【０１６４】
図２３に、データユニットを生成し、送信するための方法２３００を示す。方法２３００は、上記で説明したデータユニットを生成するために使用され得る。データユニットは、ＡＰ１０４またはＳＴＡ１０６のいずれかにおいて生成され、ワイヤレスネットワーク１００中の別のノードに送信され得る。方法２３００についてワイヤレスデバイス２０２ａの要素に関して以下で説明するが、本明細書で説明するステップのうちの１つまたは複数を実装するために他の構成要素が使用され得る。
【０１６５】
ブロック２３０２において、データシンボル間に挿入された複数のトレーニングフィールドを含むデータユニットを生成する。上記生成は、プロセッサ２０４および／またはＤＳＰ２２０によって、たとえば変調器３０２および変換モジュール３０４を使用して、実行され得る。複数のトレーニングフィールドは、利得制御シーケンスを含む、ＳＴＦなどの第１のトレーニングフィールド、および／または、チャネル推定シーケンスを含む、ＬＴＦなどの第２のトレーニングフィールドを備え得る。ＳＴＦはＶＨＴ  ＳＴＦを備え得、ＬＴＦはＬ−ＬＴＦまたはＶＨＴ  ＬＴＦを備え得る。ＳＴＦおよび／またはＬＴＦは、それぞれ規則的な間隔ｍおよびｎで挿入されるか、または不規則な間隔で挿入され得る。ＳＴＦおよび／またはＬＴＦの間隔および構造は、既知の情報に基づいて、プロセッサ２０４またはＤＳＰ２２０によって知られるかまたは決定され得る。他の態様では、間隔および構造は、ＭＣＳ、空間ストリームの数、シンボル持続時間および／またはダウンクロッキング倍率、規格化されたバイト数、ならびに／あるいはネットワーク状態に基づいて決定される。プロセッサ２０４またはＤＳＰ２２０は、間隔を示すインジケータ、あるいはＳＴＦおよび／またはＬＴＦの間隔または構造を決定するために使用され得る情報をデータユニットのプリアンブルに、たとえば、そのプリアンブル中のＶＨＴ  ＳＩＧＡフィールドに挿入し得る。いくつかの態様では、プロセッサ２０４またはＤＳＰ２２０は、同様に、複数のデータシンボル間にＳＩＧフィールドを挿入する。データユニットの長さまたはサイズは、プロセッサ２０４またはＤＳＰ２２０によってデータユニットのレガシープリアンブル中に示され得る。
【０１６６】
ブロック２３０４において、ワイヤレスローカルエリアネットワークを介してデータユニットをワイヤレス送信する。上記送信は、たとえば、送信機２１０によって実行され得る。
【０１６７】
図２４に、データユニットを受信し、処理するための方法２４００を示す。方法２４００は、上記で説明したデータユニットを受信するために使用され得る。パケットは、ＡＰ１０４またはＳＴＡ１０６のいずれかにおいて、ワイヤレスネットワーク１００中の別のノードから受信され得る。方法２４００についてワイヤレスデバイス２０２ｂの要素に関して以下で説明するが、本明細書で説明するステップのうちの１つまたは複数を実装するために他の構成要素が使用され得る。
【０１６８】
ブロック２４０２において、データシンボル間に配置された複数のトレーニングフィールドを含むデータユニットをワイヤレス受信する。上記受信は、たとえば、受信機２２０によって実行され得、増幅器４０１を使用し得る。複数のトレーニングフィールドは、利得制御シーケンスを含む、ＳＴＦなどの第１のトレーニングフィールドと、チャネル推定シーケンスを含む、ＬＴＦなどの第２のトレーニングフィールドとを備え得る。ＳＴＦはＶＨＴ  ＳＴＦを含み得、ＬＴＦはＬ−ＬＴＦまたはＶＨＴ  ＬＴＦを含み得る。ＳＴＦおよび／またはＬＴＦは、それぞれ規則的な間隔ｍおよびｎで挿入されるか、または不規則な間隔で挿入され得る。データユニットは、ＳＩＧフィールドと、いくつかの態様ではＶＨＴ  ＳＩＧＡフィールドとを有するプリアンブルを含み得る。
【０１６９】
ブロック２４０４において、複数のトレーニングフィールドに少なくとも部分的に基づいて少なくとも１つのデータシンボルを復号する。上記復号は、たとえば、変換モジュール４０４と、チャネル推定器および等化器４０５と、復調器４０６とを使用して、プロセッサ２０４、信号検出器２１８、および／またはＤＳＰ２２０によって実行され得る。トレーニングフィールドが配置される間隔ならびにＳＴＦおよび／またはＬＴＦの構造は、既知の情報に基づいて、プロセッサ２０４またはＤＳＰ２２０によって知られるかまたは決定され得る。他の態様では、プロセッサ２０４またはＤＳＰ２２０は、データユニットのプリアンブル中の、たとえば、そのプリアンブル中のＶＨＴ  ＳＩＧＡフィールド中の情報から間隔または構造を決定し得る。いくつかの態様では、プロセッサ２０４またはＤＳＰ２２０は、複数のデータシンボル間に同じく配置されたＳＩＧフィールドに基づいて、後続のトレーニングフィールドのロケーションあるいは／ならびにＳＴＦおよび／またはＬＴＦの構造を決定することが可能である。プロセッサ２０４またはＤＳＰ２２０は、データユニットのレガシープリアンブルからデータユニットの長さまたはサイズを決定し得る。
【０１７０】
データユニットが、配置されたＳＴＦを含む場合、プロセッサ２０４またはＤＳＰ２２０は、自動利得制御を使用して受信増幅器４０１の利得を調整し得、調整された利得を用いて後続のデータシンボルを受信し得る。データユニットが、配置されたＬＴＦを含む場合、チャネル推定器および等化器は、データユニットが受信されたチャネルの推定値を形成し得る。チャネル推定値は、プロセッサ２０４またはＤＳＰ２２０によって、後続のデータシンボルを復号するためにのみ使用され得るか、または後続のデータシンボルと先行するデータシンボルの両方を復号するために使用され得る。いくつかの態様では、プロセッサ２０４またはＤＳＰ２２０は、２つのチャネル推定値間の補間を計算し、その補間を使用してデータシンボルを復号する。
【０１７１】
図２５は、ワイヤレス通信システム１００内で採用され得る例示的なデバイス２５００の機能ブロック図である。デバイス２５００は、ワイヤレス送信のためにデータユニットを生成するためのデータユニット生成器２５０２を含む。データユニット生成器２５０２は、図２３に示したブロック２３０２に関して上記で説明した機能のうちの１つまたは複数を実行するように構成され得る。データユニット生成器２５０２は、プロセッサ２０４およびＤＳＰ２２０のうちの１つまたは複数に対応し得る。デバイス２５００は、データユニットをワイヤレス送信するための送信機２５０４をさらに含む。送信機２５０４は、図２３に示したブロック２３０４に関して上記で説明した機能のうちの１つまたは複数を実行するように構成され得る。送信機２５０４は送信機２１０に対応し得る。
【０１７２】
その上、一態様では、データユニットを生成するための手段はデータユニット生成器２５０２を備え得る。別の態様では、ワイヤレスローカルエリアネットワークを介してデータユニットをワイヤレス送信するための手段は送信機２５０４を備え得る。
【０１７３】
図２６は、ワイヤレス通信システム１００内で採用され得る例示的なデバイス２６００の機能ブロック図である。デバイス２６００は、データシンボル間に配置された複数のトレーニングフィールドを含むデータユニットをワイヤレス受信するための受信機２６０２を含む。受信機２６０２は、図２４に示したブロック２４０２に関して上記で説明した機能のうちの１つまたは複数を実行するように構成され得る。受信機２６０２は、受信機２１２に対応し得、増幅器４０１を含み得る。デバイス２６００は、データシンボル間に配置された複数のトレーニングフィールドのうちの１つまたは複数に少なくとも部分的に基づいて、データユニットのデータシンボルを復号するためのデコーダ２６０４をさらに備える。デコーダ２６０４は、図２４に示したブロック２４０２に関して上記で説明した機能のうちの１つまたは複数を実行するように構成され得る。復号モジュール２６０４は、プロセッサ２０４、信号検出器２１８、およびＤＳＰ２２０のうちの１つまたは複数に対応し得、チャネル推定器および等化器４０５を含み得る。
【０１７４】
その上、一態様では、ワイヤレスローカルエリアネットワークを介してデータユニットをワイヤレス受信するための手段は受信機２６０２を備え得る。別の態様では、１つまたは複数のトレーニングフィールドに基づいてデータシンボル復号するための手段はデコーダ２６０４を備え得る。
【０１７５】
本明細書で使用する「決定」という用語は、多種多様なアクションを包含する。たとえば、「決定」は、計算、算出、処理、導出、調査、探索（たとえば、テーブル、データベースまたは別のデータ構造での探索）、確認などを含み得る。また、「決定」は、受信（たとえば、情報を受信すること）、アクセス（たとえば、メモリ中のデータにアクセスすること）などを含み得る。また、「決定」は、解決、選択、選定、確立などを含み得る。さらに、本明細書で使用する「チャネル幅」は、いくつかの態様では帯域幅を包含することがあるか、または帯域幅と呼ばれることもある。
【０１７６】
本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【０１７７】
上記で説明した方法の様々な動作は、様々なハードウェアおよび／またはソフトウェア構成要素（複数可）、回路、および／またはモジュール（複数可）など、それらの動作を実行することが可能な任意の好適な手段によって実行され得る。一般に、図に示すどの動作も、その動作を実行することが可能な対応する機能的手段によって実行され得る。
【０１７８】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１７９】
１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。
【０１８０】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１８１】
説明した機能は、ハードウェア、ソフトウェア、ファームウェア、またはそれらの組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。
【０１８２】
したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１８３】
ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１８４】
さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに提供するための任意の他の好適な技法が用いられ得る。
【０１８５】
特許請求の範囲は、上記で示した厳密な構成および構成要素に限定されないことを理解されたい。上記で説明した方法および装置の構成、動作および詳細において、特許請求の範囲から逸脱することなく、様々な改変、変更および変形が行われ得る。
【０１８６】
上記は本開示の態様を対象とするが、本開示の他の態様およびさらなる態様は、それの基本的範囲から逸脱することなく考案され得、それの範囲は以下の特許請求の範囲によって決定される。
【図１】
2015507880.tif 000005
【図２】
2015507880.tif 000006
【図３】
2015507880.tif 000007
【図４】
2015507880.tif 000008
【図５】
2015507880.tif 000009
【図６】
2015507880.tif 000010
【図７】
2015507880.tif 000011
【図８Ａ】
2015507880.tif 000012
【図８Ｂ】
2015507880.tif 000013
【図８Ｃ】
2015507880.tif 000014
【図９】
2015507880.tif 000015
【図１０】
2015507880.tif 000016
【図１１】
2015507880.tif 000017
【図１２】
2015507880.tif 000018
【図１３】
2015507880.tif 000019
【図１４】
2015507880.tif 000020
【図１５】
2015507880.tif 000021
【図１６】
2015507880.tif 000022
【図１７】
2015507880.tif 000023
【図１８】
2015507880.tif 000024
【図１９】
2015507880.tif 000025
【図２０】
2015507880.tif 000026
【図２１】
2015507880.tif 000027
【図２２】
2015507880.tif 000028
【図２３】
2015507880.tif 000029
【図２４】
2015507880.tif 000030
【図２５】
2015507880.tif 000031
【図２６】
2015507880.tif 000032
【国際調査報告】
2015507880.tif 000033
2015507880.tif 000034
2015507880.tif 000035
2015507880.tif 000036